(57)【特許請求の範囲】
【請求項１】
（ａ）１つの送信機で複数種類の動作を制御するマルチファンクションシステムの遠隔制御装置において、
（ｂ）操作スイッチを有し、送信機固有の送信機識別コードと、操作された操作スイッチに対応した制御コードとを含む送信コードを操作スイッチの操作のたびに送信する送信機と、
（ｃ）送信コードを受信する受信装置であって、
制御コードに対応する動作情報をプログラムするプログラムモードと、動作情報が表す動作を実行する動作モードとを切換えて、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードと、送信コードの予め定める時間Ｔ１１１，Ｔ１１２，Ｔ１２１，Ｔ１３１，Ｔ１３２内の受信回数とに基づき、動作情報を参照して実行すべき動作を決定して制御する受信装置とを含むことを特徴とする遠隔制御装置。
【請求項２】
（ａ）携帯可能な送信機であって、
操作スイッチと、
送信機固有の送信機識別コードと、制御コードとを含む送信コードを送信する送信回路と、
操作スイッチの出力に応答し、操作スイッチに対応した制御コードを送信回路に与えて操作スイッチの操作のたびに送信させる送信制御手段とを有する送信機と、
（ｂ）受信装置であって、
（ｂ１）送信コードを受信する受信回路と、
（ｂ２）第１メモリ手段であって、
送信機識別コードと、
送信機識別コードに対応する機能選択コードとをストアし、
送信機識別コードに対応する機能選択コードを書換え可能である第１メモリ手段と、
（ｂ３）第２メモリ手段であって、
各機能選択コード毎に、前記各制御コードと、送信コードの受信回数と、遠隔制御されるべき動作情報とが対応して設定されてストアされ、
制御コードに対応する前記動作情報が、各機能選択コード毎に異なる第２メモリ手段と、
（ｂ４）機能選択コードを入力する機能選択コード入力手段と、
（ｂ５）プログラムモードと動作モードとを切換えて設定するモード設定手段と、
（ｂ６）受信された送信コードの予め定める時間Ｔ１１１，Ｔ１１２，Ｔ１２１，Ｔ１３１，Ｔ１３２内の受信回数を計数する計数手段と、
（ｂ７）受信制御手段であって、
モード設定手段の出力に応答し、プログラムモードでは、第１メモリ手段に、機能選択コード入力手段によって入力された機能選択コードを、受信した送信機識別コードに対応して、設定し、
動作モードでは、
受信回路の出力に応答し、
受信された送信コードに含まれる送信機識別コードが、第１メモリ手段にストアされている送信機識別コードと一致するとき、
その一致した送信機識別コードに対応する機能選択コードを読出し、
第２メモリ手段から、前記読出した機能選択コードの受信された制御コードと、計数手段の計数出力とに対応する動作情報を読出し、
この読出した動作情報によって動作を実行する受信制御手段とを備える受信装置とを含むことを特徴とする遠隔制御装置。
【請求項３】
送信機固有の送信機識別コードと、送信機の操作された操作スイッチに対応した制御コードとを含み、操作スイッチの操作のたびに送信される送信コードを受信する受信装置であって、
制御コードに対応する動作情報をプログラムするプログラムモードと、動作情報が表す動作を実行する動作モードとを切換えて、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードと、送信コードの予め定める時間Ｔ１１１，Ｔ１１２，Ｔ１２１，Ｔ１３１，Ｔ１３２内の受信回数とに基づき、動作情報を参照して実行すべき動作を決定して制御することを特徴とする遠隔制御用受信装置。
【発明の詳細な説明】
【０００１】
【発明の属する技術分野】
本発明は、送信機からの電磁波の送信コード信号を、受信装置で受信し、被制御手段の動作を制御する遠隔制御装置および遠隔制御用受信装置に関し、たとえば自動車などの車両のドアの施錠／解錠のために、トランクの蓋の解錠のためにおよび車両の盗難防止用警報音の発生などのために、１または複数の被制御手段の複数種類の動作を制御するマルチファンクションシステムに関する。
【０００２】
【従来の技術】
従来から、送信機の押釦を操作し、車両のドアの施錠／解錠を遠隔制御する装置が実用化されている。或る先行技術では、単一の押釦を備え、この押釦を操作することによって送信機は、その送信機固有の送信機識別コードであるＩＤコードだけを送信する。車両には受信装置が設置される。この受信装置では、受信された前記ＩＤコードが、受信装置のメモリに予めストアしてあるコードと一致するかどうかを判断し、一致したとき、被制御手段の予め定める単一の機能を実行する。被制御手段の予め定める単一の機能というのは、たとえば車両のドアの施錠機構における解錠動作のみを実行し、またはＩＤコードの受信のたびに施錠機構が施錠動作と解錠動作とを交互に実行することである。このような先行技術では、送信機によって単一の機能を制御するだけであるので、利便性が劣るという問題がある。
【０００３】
この問題を解決する他の先行技術では、送信機は、複数の押釦を備え、１つの押釦を操作することによって、送信機固有の送信機識別コードと、操作された押釦に対応する制御コードとを、送信する。受信装置は、この送信機からのＩＤコードが、メモリに予めストアしてあるコードと一致することを判断すると、操作された押釦に予め固定的に設定されて対応する制御コードに基づいて、被制御手段の動作を制御する。たとえば送信機に２つの押釦が備えられ、一方の押釦を操作することによってドアの施錠機構の施錠動作または解錠動作を制御し、他方の押釦を操作することによって車両のトランクの開閉可能な蓋の施錠機構を解錠動作してトランクリリースし、こうしてマルチファンクションを達成する。
【０００４】
この先行技術の新たな問題は、送信機に備えられている複数の各押釦に対応する被制御手段の機能が予め固定的であり、たとえば送信機の前記一方の押釦は、ドアの施錠／解錠の機能に、また前記他方の押釦は、トランクリリース機能に、それぞれ固定的に対応しているということである。したがってユーザが複数の各押釦に希望する機能を割当てることができず、操作性が劣る。
【０００５】
【発明が解決しようとする課題】
本発明の目的は、ユーザが送信機の単一または複数の各操作スイッチ毎に、被制御手段の複数種類の動作を任意に割当てることができるようにした遠隔制御装置および遠隔制御用受信装置を提供することである。
【０００６】
本発明の他の目的は、ユーザが送信機の単一の操作スイッチの複数の操作態様毎に、たとえば押圧操作時間または予め定める時間内における単一または複数の操作回数などの各操作態様毎に、被制御手段の複数種類の動作を任意に割当てることができるようにした遠隔制御装置および遠隔制御用受信装置を提供することである。
【０００７】
【課題を解決するための手段】
本発明は、（ａ）１つの送信機で複数種類の動作を制御するマルチファンクションシステムの遠隔制御装置において、
（ｂ）操作スイッチを有し、送信機固有の送信機識別コードと、操作された操作スイッチに対応した制御コードとを含む送信コードを操作スイッチの操作のたびに送信する送信機と、
（ｃ）送信コードを受信する受信装置であって、
制御コードに対応する動作情報をプログラムするプログラムモードと、動作情報が表す動作を実行する動作モードとを切換えて、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードと、送信コードの予め定める時間Ｔ１１１，Ｔ１１２，Ｔ１２１，Ｔ１３１，Ｔ１３２内の受信回数とに基づき、動作情報を参照して実行すべき動作を決定して制御する受信装置とを含むことを特徴とする遠隔制御装置である。
【０００８】
本発明は、（ａ）携帯可能な送信機であって、
操作スイッチと、
送信機固有の送信機識別コードと、制御コードとを含む送信コードを送信する送信回路と、
操作スイッチの出力に応答し、操作スイッチに対応した制御コードを送信回路に与えて操作スイッチの操作のたびに送信させる送信制御手段とを有する送信機と、
（ｂ）受信装置であって、
（ｂ１）送信コードを受信する受信回路と、
（ｂ２）第１メモリ手段であって、
送信機識別コードと、
送信機識別コードに対応する機能選択コードとをストアし、
送信機識別コードに対応する機能選択コードを書換え可能である第１メモリ手段と、
（ｂ３）第２メモリ手段であって、
各機能選択コード毎に、前記各制御コードと、送信コードの受信回数と、遠隔制御されるべき動作情報とが対応して設定されてストアされ、
制御コードに対応する前記動作情報が、各機能選択コード毎に異なる第２メモリ手段と、
（ｂ４）機能選択コードを入力する機能選択コード入力手段と、
（ｂ５）プログラムモードと動作モードとを切換えて設定するモード設定手段と、
（ｂ６）受信された送信コードの予め定める時間Ｔ１１１，Ｔ１１２，Ｔ１２１，Ｔ１３１，Ｔ１３２内の受信回数を計数する計数手段と、
（ｂ７）受信制御手段であって、
モード設定手段の出力に応答し、プログラムモードでは、第１メモリ手段に、機能選択コード入力手段によって入力された機能選択コードを、受信した送信機識別コードに対応して、設定し、
動作モードでは、
受信回路の出力に応答し、
受信された送信コードに含まれる送信機識別コードが、第１メモリ手段にストアされている送信機識別コードと一致するとき、
その一致した送信機識別コードに対応する機能選択コードを読出し、
第２メモリ手段から、前記読出した機能選択コードの受信された制御コードと、計数手段の計数出力とに対応する動作情報を読出し、
この読出した動作情報によって動作を実行する受信制御手段とを備える受信装置とを含むことを特徴とする遠隔制御装置である。
【０００９】
本発明は、送信機固有の送信機識別コードと、送信機の操作された操作スイッチに対応した制御コードとを含み、操作スイッチの操作のたびに送信される送信コードを受信する受信装置であって、
制御コードに対応する動作情報をプログラムするプログラムモードと、動作情報が表す動作を実行する動作モードとを切換えて、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードと、送信コードの予め定める時間Ｔ１１１，Ｔ１１２，Ｔ１２１，Ｔ１３１，Ｔ１３２内の受信回数とに基づき、動作情報を参照して実行すべき動作を決定して制御することを特徴とする遠隔制御用受信装置である。
【００１０】
本発明に従えば、後述の本発明の第１〜第３の実施の形態のように、送信機は、１または複数の押釦などの操作スイッチを備え、ユーザが操作スイッチを操作することによって、送信機は送信コードを、たとえば電波、超音波、赤外線または可視光線などの光などの電磁波で送信する。送信コードは、ＩＤコードと略称することがある送信機固有の送信機識別コードと、ボタンコードと称することがある制御コードとを含み、さらにその他のコードまたは信号を含んでもよい。
【００１１】
送信機は、たとえばユーザのポケットに入れて携帯可能な小形に構成される。送信機は、たとえば予め定める搬送周波数を有する高周波搬送波が、論理「１」および論理「０」の組合せから成る一連の２進数によって変調されて送信される。
【００１２】
制御コードは、操作された操作スイッチに個別的に対応してコード化されてもよく、または複数、たとえば２の同時操作される操作スイッチの組合せに対応してコード化されてもよい。本発明の実施の他の形態では、制御コードは、操作スイッチの操作態様に対応してコード化され、予め定める時間内のオン／オフの操作回数に対応してコード化される。
【００１３】
受信装置は、たとえば自動車などの車両に搭載され、送信機からの送信コードを受信する。本件明細書および請求項では、コード化された信号を、コードと言うことがある。この受信装置は、プログラムモードと動作モードとに切換えて動作を行う。受信装置がプログラムモードに設定された状態において、ユーザである操作者が送信機の操作スイッチを操作して送信コードを送信する。受信装置では、この送信コードを受信してその送信コードに含まれている送信機識別コードと、プログラムモードである受信装置においてユーザが機能選択コード入力手段によって入力した機能選択コードとを、後述の本発明の第１〜第３の実施の形態のように第１メモリ手段にストアする。
【００１４】
第１〜第３の実施の形態のように第２メモリ手段には、各機能選択コード毎に、送信機からの送信コードに含まれる制御コードと、被制御手段の遠隔制御されるべき複数種類の各動作の動作情報とが対応して、たとえばテーブルを構成して、設定されてストアされる。第２メモリ手段にストアされる制御コードに対応する動作情報は、各機能選択コード毎に異なっていてもよいけれども、同一であってもよい。第１および第２メモリ手段は、それぞれ独立した各メモリによって実現されてもよいけれども、単一のメモリの相互に異なるストア領域によって実現されてもよい。
【００１５】
本発明の特徴的な構成は、第１メモリ手段における送信機識別コードに対応する機能選択コードは、機能選択コード入力手段によって書換え可能なことである。これによって送信機の操作スイッチに対応する動作情報を、または操作スイッチの操作態様に対応する動作情報を、任意に割当てることができるようになる。
【００１６】
受信装置が動作モードに切換えて設定されている状態で、送信機からの送信コードが受信されると、その受信された送信コードに含まれる送信機識別コードが、第１メモリ手段にストアされている送信機識別コードと一致するかどうかが判断され、一致していれば、第１メモリ手段から、その一致した送信機識別コードに対応する機能選択コードを読出す。第２メモリ手段からは、前記読出した機能選択コードの受信された制御コードに対応する動作情報を読出す。この読出した動作情報と送信コードの計数された受信回数によって、被制御手段の動作を実行する。受信された送信機識別コードが、第１メモリ手段にストアされている送信機識別コードと一致していなければ、受信装置では、その後の動作が行われず、被制御手段の動作は制御されない。
【００１７】
実行すべき動作を表す動作情報は、たとえば車両のドアの施錠機構の施錠（ロック）動作もしくは解錠（アンロック）動作のいずれか一方であってもよく、または送信コードの受信のたび毎に施錠動作と解錠動作とを繰返す動作であってもよい。動作情報は、自動車のトランクの蓋の施錠機構における解錠動作を行うトランクリリースの動作であってもよく、さらに車両に関するその他の施錠／解錠動作であってもよく、盗難を防止するためにホーンなどの音響発生手段を鳴動する動作であってもよく、さらにその他の動作であってもよい。
【００１８】
【００１９】
【００２０】
【００２１】
【００２２】
【００２３】
【００２４】
【００２５】
【００２６】
【００２７】
本発明に従えば、後述の本発明の第１〜第３の実施の形態のように、送信機は、送信コードを操作スイッチの操作のたびに送信し、たとえば操作スイッチの操作のたびに送信コードを１回もしくは複数回送信し、または操作スイッチの操作時間にわたって繰返して連続的に送信コードを送信する。
【００２８】
受信装置は、前述と同様なプログラムモードを達成する。動作モードで、受信した送信コードに含まれている送信機識別コードが予めストアしてある送信機識別コードと一致したとき、機能選択コードを第１メモリ手段から読出す。この受信装置では、受信された送信コードの予め定める時間内で操作スイッチの断続的な操作による休止時間をあけて受信される送信コードの受信回数を計数手段によって計数する。第２メモリ手段では、各機能選択コード毎に、制御コードと、計数された受信回数と、動作情報とが対応してたとえばテーブルを構成してストアされている。読出された機能選択コードによって定められる制御コードと計数手段の計数出力である受信回数とに対応する動作情報が、読出されて、被制御手段の動作が制御される。
【００２９】
送信機の操作スイッチは、単一個または複数設けられてもよく、複数設けられる構成では、同時に操作される複数の操作スイッチに対応した制御コードが生成されてもよい。
【００３０】
【００３１】
【００３２】
【００３３】
【００３４】
【００３５】
【００３６】
【００３７】
【００３８】
【００３９】
【００４０】
【００４１】
【００４２】
【００４３】
【００４４】
【００４５】
【００４６】
【００４７】
【００４８】
【００４９】
【００５０】
【００５１】
【００５２】
【００５３】
【００５４】
【００５５】
【００５６】
【００５７】
【００５８】
【００５９】
【００６０】
【００６１】
【００６２】
【００６３】
【００６４】
【００６５】
【００６６】
【００６７】
【００６８】
【発明の実施の形態】
本発明の第１の参考例は、図１〜図１１を参照して説明する。図１は、本発明の第１の参考例における小形の携帯可能な送信機１を示す図である。この送信機１のハウジング２には、操作スイッチである複数（たとえば２）の押釦Ａ，Ｂが備えられ、さらに送信信号を発生するためのアンテナ３が備えられる。アンテナ３は、送信機１に内蔵したアンテナ（たとえば配線基板の導体パターンなど）を含む。送信機１からは、アンテナ３によって電波が発生されてもよいけれども、本発明の他の参考例では、超音波または赤外線もしくは可視光線などの光が用いられてもよい。送信機１からのコード化デジタル信号である送信コード１５（後述の図３参照）が発生されることによって、自動車などの車両に搭載された後述の図６に示される受信装置４では、ドア施錠機構５，６の施錠（ロック）または解錠（アンロック）動作が制御され、さらにトランクの蓋の施錠機構７が解錠動作してトランクリリースされ、あるいはさらに音響発生手段であるホーン８によって音響が発生され、車両の盗難防止を図ることができる。
【００６９】
図２は、図１に示される送信機１の電気的構成を示すブロックである。１または複数（たとえば２）の押釦Ａ，Ｂは、押圧操作されないときオフ状態であり、押圧操作されることによってオン状態にスイッチング態様が変化する。これらの押釦Ａ，Ｂの出力は、マイクロコンピュータなどによって実現される処理回路９に与えられる。処理回路９からのコード化デジタル信号である送信コード１５は、ライン１０から送信回路１１に与えられる。送信回路１１では、このデジタル信号によって、高周波搬送波信号が変調され、電力増幅されてアンテナ３から送信される。処理回路９および送信回路１１は、携帯可能な電池１３から電力が供給されて動作する。処理回路９にはメモリ１４が接続される。
【００７０】
図３は、処理回路９から生成されて導出されるコード化デジタル信号である送信コード１５を示す図である。この送信コード１５は、送信機識別コードであるＩＤコード１６と、２ビットから成り、所望の機能を表す制御コードであるボタンコード１７とから成る。この送信コード１５は、前述のように送信回路１１において搬送波を変調し、アンテナ３から送信される。単一の送信コード１５は、たとえば２０μｓｅｃの送信期間を有する。
【００７１】
ＩＤコード１６は、送信機１に固有のコードを持ち、メモリ１４のストア領域１８に設定される。処理回路９は、押釦ＡまたはＢが操作されたとき、このＩＤコード１６を、ボタンコード１７とともに出力する。
【００７２】
図４は、ボタンコード１７の構成を示す図である。このボタンコード１７は、第１ビット１９と、第２ビット２０とを有する。第２ビット２０は、押釦Ａを押圧操作することによって論理「１」になり、押釦Ａを操作しないとき、論理「０」となる。第１ビット１９は、押釦Ｂを押圧操作するとき論理「１」となり、押釦Ｂを操作しないとき、論理「０」となる。したがって処理回路９によって生成されるボタンコード１７は、表１のとおりとなる。
【００７３】
【表１】
0004603640.tif 000002
【００７４】
図５は、送信機１の処理回路９の動作を説明するためのフローチャートである。ステップａ１からステップａ２に移り、押釦Ａが操作されたかどうかが判断され、押釦Ａが操作されていれば、ボタンコード１７として「１０」を生成し、ＩＤコード１６とともに送信コード１５をライン１０から送信回路１１に与える。
【００７５】
ステップａ２において押釦Ａが操作されず、ステップａ６において押釦Ｂが操作されたことが判断されると、ステップａ７においてボタンコード１７として「０１」が生成され、ＩＤコード１６とともにライン１０から送信回路１１に与えられる。ステップａ４では送信回路１１は、送信コード１５によって搬送波を変調してアンテナ３から送信を行う。こうしてステップａ５では一連の動作を終了する。処理回路９は、押釦Ａが操作されたとき、送信コード１５を、１回だけ、または予め定める複数回繰返して連続的に、生成してもよく、さらにまた押釦Ａ，Ｂの操作時間にわたって、送信コードを繰返して連続的に生成し、こうして送信するようにしてもよい。
【００７６】
図６は、受信装置４の構成を示すブロック図である。送信機１のアンテナ３から送信された送信コード１５は、受信装置４のアンテナ２１を経て受信回路２２で受信されて増幅され、その送信コード１５は、マイクロコンピュータなどによって実現される処理回路２３に与えられる。処理回路２３は、前述のようにドア施錠機構５，６の施錠または解錠動作の制御を行い、トランクの蓋の施錠機構７の解錠動作の制御を行い、またホーン８を鳴動駆動する。さらにパーキングランプ２４およびインスルメントパネルなどに設けられたプログラムモードの期間中点灯して表示するインジケータランプ２５を点灯／消灯制御する。施錠機構５は、運転席に設けられたドアに関連して設けられる。施錠機構６は、運転席に隣接する助手席ドアに関連して設けられる。
【００７７】
処理回路２３には、運転席のドアの開閉を検出するカーテシスイッチ２６と、助手席のドアの開閉を検出するカーテシスイッチ２７の出力が与えられる。さらに運転席のドアにおける施錠機構５が施錠／解錠されたことを検出するロックスイッチ２８と、助手席のドアの施錠機構６が施錠／解錠されたことを検出するロックスイッチ２９との出力が、処理回路２３に与えられる。さらに車両を駆動する火花点火内燃機関の点火回路に電力を供給するためのイグニションスイッチ３０のオン／オフのスイッチング状態を検出する信号が、処理回路２３に与えられる。スイッチ３１は、運転席側のドアキーシリンダ内に設けられ、施錠機構５，６の施錠／解錠に対応して挿脱可能な角変位操作されるキーの角変位方向を検出する。スイッチ３１の出力は、処理回路２３に与えられる。さらに処理回路２３において車両のブレーキペダルを踏んだことを検出するブレーキスイッチ３２と、車両のランプ２４，２５またはヘッドランプを点灯／消灯するために操作されるライトスイッチ３３の出力が処理回路２３に与えられる。トランクの蓋が閉まっているときにオンになるトランクカーテシスイッチ３４が設けられ、そのスイッチ３４の出力は、処理回路２３に与えられる。
【００７８】
受信装置４において、処理回路２３のプログラムモードと動作モードとをたとえば手動で切換えて設定するために、モード設定スイッチ３５が設けられる。このモード設定スイッチ３５の出力は、処理回路２３に与えられる。たとえばモード設定スイッチ３５がオンされることによって、処理回路２３はプログラムモードに設定され、またオフ状態にされることによって、動作モードに設定される。処理回路２３には、メモリ３６が接続される。メモリ３６は、第１メモリ手段を構成する第１メモリ領域３７と、第２メモリ手段を構成する第２メモリ領域３８およびその他、定数Ｔ１１，Ｔ１２の記憶領域、カウンタ領域４３，５５〜５７，６１等を有する。第１および第２メモリ領域３７，３８等は、本来個別的なメモリによって実現されており、第１メモリ領域３７は、書換え可能なＲＯＭ(Ｅ2ＰＲＯＭ)によって実現され、第２メモリ領域３８および定数Ｔ１１，Ｔ１２の記憶領域は、ＲＯＭによって実現され、カウンタ領域は、ＲＡＭで実現される。図６では、図解の便宜上、これらを１つのメモリ３６に含ませて図示している。
【００７９】
図７は、第１メモリ領域３７の構成を示す図である。第１メモリ領域３７は、複数のＩＤコードＩＤ１〜ＩＤ４をストアするＩＤコードストア領域３９と、各ＩＤコードＩＤ１〜ＩＤ４にそれぞれ対応して機能選択コードをストアするストア領域４０とを有する。ストア領域３９は、この参考例では、最大４つ設けられる。各ストア領域３９は、ＩＤコードＩＤ１〜ＩＤ４をそれぞれストアすることができる容量を有する。各ストア領域４０は、２ビットから成る機能選択コードをストアすることができる容量を有する。ストア領域３９，４０は、ＩＤコードＩＤ１〜ＩＤ４と機能選択コードとをテーブルで構成して、第１メモリ領域３７に設定される。
【００８０】
図８は、第２メモリ領域３８の構成を示す図である。第２メモリ領域３８は、図８（１）〜図８（４）に示される表２の各機能選択コード毎に、ストア領域４１，４２が対応して設けられる。
【００８１】
【表２】
0004603640.tif 000003
【００８２】
ストア領域４１にストアされる機能「１」，「２」と、ストア領域４２にストアされる各動作情報とは、対応し、テーブルを構成する。ストア領域４１にストアされる機能「１」，「２」は、受信されたボタンコード１７に対応して表３のように決定される。
【００８３】
【表３】
0004603640.tif 000004
【００８４】
図８においてロック／アンロックというのは、施錠機構５または６を施錠または解錠動作する動作情報である。図１１に関連して後述するように、ロック／アンロックの動作情報に対応する機能「１」または「２」が選択されることによって、ドアの少なくとも１つが解錠されていれば、全てのドアの施錠動作を行い、またドアの少なくとも１つが施錠されていれば、全てのドアの解錠動作が、処理回路２３の働きによって行われる。トランクリリースというのは、トランクの施錠機構７を解錠動作する動作情報である。
【００８５】
図９は、受信装置４の処理回路２３の全体の動作を示すフローチャートである。ステップｂ１からステップｂ２に移り、電源投入時、すなわち、図示せぬ車両バッテリ接続時に処理回路２３の初期化が行われる。ステップｂ３では、モード設定スイッチ３５がオン状態であるかどうか、したがってプログラムモードが設定されているかどうかが判断される。プログラムモードを実行するために、モード設定スイッチ３５がオン状態であれば、ステップｂ３からステップｂ４に移り、プログラムフラグＦ１が論理「１」とされて、プログラムフラグＦ１が立てられる。ステップｂ５では、プログラムモードであるかどうかが判断され、すなわちプログラムフラグＦ１が論理「１」であるかどうかが判断される。
【００８６】
プログラムフラグＦ１が「１」であれば、次のステップｂ６に移り、プログラムモードであることを表すために、インジケータランプ２５が点灯される。またこのときモード設定スイッチ３５がオン状態にされることによって、タイマＴ１１が刻時動作を開始してスタートする。本件明細書では、タイマとそのタイマによって計時される限時時間を、理解の便宜のために同一の参照符で示す。次のステップｂ７では、図８で説明した機能選択コードの入力処理を行う。このステップｂ７の動作は、図１０に関連して後述する。このような機能選択コードの入力処理は、タイマＴ１１の刻時動作期間中に行われる。タイマＴ１１の限時時間Ｔ１１は、たとえば３０秒である。ステップｂ８においてこの時間Ｔ１１が経過したかどうかが判断され、経過していれば、ステップｂ１１に移り、インジケータランプ２５を消灯するとともに、タイマＴ１１をリセットし、刻時動作を停止する。ステップｂ１２では、プログラムフラグＦ１を、論理「０」に戻す。
【００８７】
ステップｂ８において限時時間Ｔ１１が経過していないことが判断されると、次のステップｂ９では、送信機１から送信コード１５を構成するＩＤコード１６が送信されて受信回路２２によって受信されたかどうかが判断される。
【００８８】
ＩＤコード１６が受信されていれば、次のステップｂ１０に移り、受信したＩＤコードと、前述のステップｂ７において入力した機能選択コードとを、図７に示される第１メモリ領域３７の各ストア領域３９，４０にテーブルの構造としてストアする。このようにして送信機１の送信機識別コード１６と、入力された機能選択コードとを、上述のようにテーブルの構造で、書換え可能にストアして設定することができる。
【００８９】
このとき、ＩＤコードと機能選択コードの対は新たな送信機をプログラムする都度、第１メモリ領域３７の第１領域３７−１から第４領域３７−４まで順次記憶されてゆく。すなわち、初めて送信機をプログラムするときは受信されたそのＩＤコードと入力された機能選択コードは第１領域３７−１に記憶され、次に他の送信機をプログラムするときは第２領域３７−２に記憶され、以下同様に第３領域３７−３、第４領域３７−４へと新たな送信機を追加する都度、記憶されてゆく。また、第１メモリ領域に４つのＩＤコードを記憶した状態で次の送信機をプログラムする場合は、１番古い第１領域３７−１のデータを消去し、第２領域３７−２〜第４領域３７−４のデータをそれぞれ第１領域３７−１〜第３領域３７−３に移し替え、新たなＩＤコードと機能選択コードを第４領域３７−４に記憶する。このようにして、第１メモリ領域には最新の４つのＩＤコードとそれらに対応する機能選択コードが記憶される。
【００９０】
プログラムモードの動作の終了後、モード設定スイッチ３５をオフ状態にすると、処理回路２３は動作モードに設定される。これによってステップｂ３からステップｂ５を経て、ステップｂ１３に移る。ステップｂ１３では、受信回路２２によって、送信機１からの送信コード１５に含まれるＩＤコード１６が受信され、その受信されたＩＤコードが、第１メモリ領域３７のストア領域３９にストアされているＩＤコードＩＤ１〜ＩＤ４のいずれか１つであるかどうか、図７の第４領域３７−４から第１領域３７−１の順に比較してゆくことで、判断される。受信されたＩＤコードが、第１メモリ領域３７のストア領域３９にストアされているＩＤコードの１つと一致すれば、次のステップｂ１４において、図１１に関連して後述する受信処理が行われ、施錠／解錠動作または警報を行うアーミング動作が行われる。
【００９１】
ステップｂ１３において第１メモリ領域３７のストア領域３９に、ストアされているＩＤコードＩＤ１〜ＩＤ４のいずれもが受信されていないとき、ステップｂ１５に移る。このステップｂ１５では、フラグＦ３が論理「１」であるかが判断される。フラグＦ３が論理「１」であることは、アーミング一時解除モードであり、すなわちホーン８による警報音を発生するアーミング動作が一時解除されたことを表す。このことはアーミング一時解除モードであるとき、次のステップｂ１６では、図１３に関連して後述するアーミング一時解除処理を行う。
【００９２】
ステップｂ１５において、フラグＦ３が論理「１」でないとき、すなわち論理「０」であるとき、次のステップｂ１７に移り、フラグＦ２が論理「１」であるかどうかが判断される。フラグＦ２が論理「１」であることは、ホーン８による警報音の発生を行うアーミングモードであることを表す。フラグＦ２が論理「１」であれば、ステップｂ１７からステップｂ１８に移り、図１２に関連して後述するセキュリティ処理を行う。
【００９３】
図１０は図９のステップｂ７における機能選択コードの入力処理を説明するためのフローチャートである。ステップｃ１からステップｃ２に移り、タイマＴ１２をスタートさせて刻時動作を行う。ステップｃ３では、車両の運転席または助手席に設けられたドアを、ユーザである操作者が手動によって開閉動作を単一回または複数回行ったかどうかが判断される。ドアの開閉動作は、カーテシスイッチ２６または２７によって検出される。このようなドアは、車両に予め装備されており、かつ操作者によって操作される被操作物である。カーテシスイッチ２６または２７は、そのドアである被操作物の操作態様を検出する検出手段の働きをする。カーテシスイッチ２６，２７によってドアの開閉が検出されるたび毎に、ステップｃ４では、カウンタ４３によって、そのカーテシスイッチ２６，２７の出力を計数する。ステップｃ５では、タイマＴ１２の限時時間Ｔ１２が経過したかどうかが判断される。タイマＴ１２の限時時間Ｔ１２は、たとえば５秒に定められる。
【００９４】
ステップｃ６では、タイマＴ１２の限時時間Ｔ１２が経過すると、ホーン８によってたとえば「ブー」という確認音を出力してユーザに知らせる。こうしてステップｃ７では、機能選択コードの入力処理の一連の動作を終了する。
【００９５】
カウンタ４３の計数値に対応して、前述の図７に示される第１メモリ領域３７のストア領域４０に、その計数値０〜３が２進数の機能選択コードとして表４のようにストアされる。
【００９６】
【表４】
0004603640.tif 000005
【００９７】
前述の図９におけるステップｂ９では、送信機１から送信コード１５が送信されて受信回路２２で受信され、その受信された送信コード１５に含まれるＩＤコードは、ストア領域３９に、機能選択コードに対応してストアされる。ステップｃ３においてドアの開閉動作が行われないときには、ステップｃ５に移り、この限時時間Ｔ１２においてドアの開閉が１回も行われなければ、前述の表３に示されるように計数値「零」に対応した機能選択コード「００」が導出される。計数値が１，２，３であるとき、機能選択コードが、たとえば「０１」、「１０」、「１１」が導出される。このカウンタ４３は、機能選択コード入力のための計数出力手段を構成する。
【００９８】
本発明の他の参考例では、前述の車両のドアの開閉を検出するカーテシスイッチ２６，２７に代えて、火花点火内燃機関の点火回路のためのイグニションスイッチ、前記ドアの施錠機構５，６が施錠／解錠動作されたことを検出するロックスイッチ２８，２９、前記施錠機構５，６の施錠／解錠に対応して挿脱可能な角変位操作されるキーの角変位方向を検出するスイッチ３１、車両のブレーキペダルを踏んだことを検出するブレーキスイッチ３２または車両のランプ２４を点灯／消灯するために操作されるライトスイッチ３３が用いられてもよく、この場合は、それらがオフからオンになった回数により、機能選択コードが決定される。
【００９９】
さらに本発明の参考例では、車両の進行方向を指示する方向指示機を操作する操作スイッチが、用いられてもよく、さらにその他の車両に予め定め装備されており、かつ操作者によって操作される被操作物がユーザである被操作物によって操作され、その操作態様がスイッチまたはその他の構成を有する検出手段によって構成されるようにしてもよい。
【０１００】
本発明のさらに他の参考例では、図１０のステップｃ３において、機能選択コードを入力するために、モード設定スイッチ３５をたとえばオン／オフ操作するようにしてもよく、またはそのモード設定スイッチ３５の操作回数に代えて、オン／オフの操作時間に対応した機能選択コードを、図１０のステップｃ４のカウンタ４３の計数動作に代えて、導出するようにしてもよい。
【０１０１】
本発明のさらに他の参考例では、機能選択コードを入力するために、送信機の押釦Ａ，Ｂのいずれか一方または同時操作回数としてもよく、また、送信機１の押釦Ａ，Ｂのいずれか一方を押圧操作し、または両者Ａ，Ｂを同時操作し、これらの押釦Ａ，Ｂに対応した、またはそれらの操作態様に対応したボタンコード１７を有する送信コード１５を送信機１から送信し、受信回路２２において受信したボタンコード１７に基づき、そのボタンコード１７に対応する機能選択コードを、ステップｃ４のカウンタ４３の計数動作に代えて生成するようにしてもよい。
【０１０２】
図１１は、図９におけるステップｂ１４の受信処理の動作を説明するためのフローチャートである。処理回路２３が、モード設定スイッチ３５の操作によって動作モードに設定されている状態で、受信回路２２によって送信機１からの送信コード１５を受信し、その送信コード１５に含まれるＩＤコード１６が、第１メモリ領域３７のストア領域３９にストアされている予め定める１または複数種類の送信機識別コードと一致していればステップｄ２において、その一致した送信機識別コードに対応する機能選択コードをストア領域４０から読出す。
【０１０３】
ステップｄ３では、第１メモリ領域３７から読出した機能選択コードを有する表２に示される図８（１）〜図８（４）のうちのいずれかのテーブルにおいて、送信機１から送信されて受信回路２２によって受信された送信コード１５に含まれるボタンコード１７に対応する動作情報を、第２メモリ領域３８のストア領域４１に対応してテーブルを構成してストアされているストア領域４２から読出す。ステップｄ４では、こうして読出した動作情報によって、車両における被制御手段の動作の制御を決定する。
【０１０４】
図１１に示される動作モードにおいて、送信機１からの送信コード１５に含まれるＩＤコード１６に対応する機能選択コードは、たとえば「００」であり、したがって図８（１）のテーブルが選択されたときを想定する。送信機１から送信される送信コード１５のボタンコード１７が、たとえば押釦Ａの操作に対応してボタンコード１７が「１０」であるとき、前述の表３に示されるように機能「１」すなわち、ロック／アンロックが決定される。
【０１０５】
被制御手段というのは、たとえば、図８（１）〜図８（４）にそれぞれ示されているように、ドアの施錠機構５，６の施錠／解錠動作であり、またはトランクの施錠機構７のトランクリリースである解錠動作である。
【０１０６】
ステップｄ５では、動作モードの１つであるアーミングモードであるかどうか、すなわちアーミングフラグＦ２が論理「１」であるかどうかが判断される。アーミングモードでは、全てのドアおよびトランクの蓋が閉じられて施錠されている状態であり、このとき、後述のアーミング一時解除フラグＦ３が論理「０」であれば、後述の図１２のように盗人によってドアおよび蓋の少なくとも１つが開かれると、ホーン８によって警報音が発生され、これによって車両の盗難が防止される。
【０１０７】
図１１のステップｄ５においてアーミングモードではないこと、すなわちアーミングフラグＦ２が論理「０」であることが判断されると、次のステップｄ６に移り、操作された押釦に対応する機能が、ドアの施錠機構５，６のロック／アンロックであるかどうかが判断される。ボタンコード１７が、図８（１）の「１」であることが、ステップｄ６で判断されると、次のステップｄ７では、カーテシスイッチ２６，２７によって運転席および助手席を含むすべてのドアが閉じられた状態であるかどうかが判断される。すべてのドアが閉じられているとき、ステップｄ８では、施錠機構５，６によってすべてのドアを施錠動作する。次のステップｄ９では、アーミングフラグＦ２を論理「１」としてアーミングモードにする。
【０１０８】
アーミングモードでは、アーミングフラグＦ２が上述のように論理「１」とされる。この状態で、カーテシスイッチ２６，２７によって少なくとも１つのドアが開かれたことが検出されたとき、またはトランクの蓋の開閉を検出するスイッチ３４によってトランクが開かれたことが検出されるとき、ホーン８によって警報音を発生する。こうしてステップｄ１０では、一連の動作を終了する。
【０１０９】
ステップｄ７において車両の複数のドアのうち、１つでも開いていることが、カーテシスイッチ２６，２７によって検出されたとき、ステップｄ７からステップｄ１０に移り、アーミングモードは解除されたままである。
【０１１０】
ステップｄ５においてアーミングモードであるとき、すなわちアーミングフラグＦ２が論理「１」であることが判断されるとき、ステップｄ１３に移る。ステップｄ１３では、前述のようにたとえば図８（１）のように機能選択コード「００」が読出されて、送信機１からのボタンコード１７が「１０」であり、表３から、したがって機能が「１」であるものとし、このとき、ドアの施錠機構５，６による施錠／解錠動作の動作情報であることが判断されると、次のステップｄ１４では、ドアの施錠機構５，６によって、車両のすべてのドアを解錠する。次のステップｄ１５では、アーミングフラグＦ２を論理「０」として、アーミングモードを解除する。アーミングフラグＦ２を論理「０」とすることによって、ドアが開かれたことがカーテシスイッチ２６，２７によって検出されたとき、およびトランクの蓋が開かれたことがスイッチ３４によって検出されたとき、ホーン８による警報音が発生されることはない。
【０１１１】
ステップｄ５においてアーミングモードではないこと、すなわちアーミングフラグＦ２が論理「０」であることが判断され、次のステップｄ６において、ボタンコード１７がたとえば「１０」ではなく、したがって機能が前述の図８（１）における「１」ではないこと、すなわちボタンコード１７に対応するドアの施錠機構５，６の施錠／解錠動作の動作情報ではないと判断されたとき、ステップｄ１１に移る。
【０１１２】
ステップｄ１１では、ボタンコード１７が、たとえば「０１」であり、したがって機能がたとえば図８（１）の「２」であって、すなわちトランクの蓋の施錠機構７の解錠動作であるトランクリリースを表す制御情報であるかどうかが判断される。トランクリリースであるトランクの蓋の解錠動作を表す動作情報であるものと判断されると、ステップｄ１２に移り、施錠機構７によってトランクの蓋を解錠動作させる。ボタンコード１７に対応する機能が図８（１）における「２」ではないことが判断されると、ステップｄ１０に移る。
【０１１３】
ステップｄ５においてアーミングモードであることが判断され、次のステップｄ１３においてボタンコード１７がたとえば「１０」ではなく、したがって機能が図８（１）における「１」ではないこと、すなわちドアの施錠／解錠動作の動作情報でないことが判断されると、次のステップｄ１６に移る。ステップｄ１６では、受信したボタンコード１７がたとえば「０１」であり、したがって機能が図８の（２）であるか、すなわちトランクの蓋の施錠機構７を解錠動作するトランクリリース動作を表す動作情報であるかが判断される。その判断が肯定であれば、すなわちボタンコード１７に対応する機能が、たとえば図８（１）の「２」であれば、次のステップｄ１７で、施錠機構７によってトランクの蓋の解錠動作を行う。次のステップｄ１８では、アーミング一時解除フラグＦ３を論理「１」にし、これによってアーミングモードを一時的に解除する。アーミングモードである場合、アーミング一時解除フラグＦ３が論理「０」であるとき、カーテシスイッチ２６，２７によって少なくとも１つのドアが開かれたことが検出されても、またはトランクの蓋が開かれたことがトランクスイッチ３４によって検出されても、ホーン８の警報音の発生が強制的に禁止される。
【０１１４】
図１２は、アーミングモードの動作であるセキリュティ処理の動作を説明するためのフローチャートである。図１１のステップｄ９においてアーミングフラグＦ２が論理「１」であって、しかもアーミング一時解除フラグＦ３が論理「０」であるとき、ステップｆ１からステップｆ２に移る。カーテシスイッチ２６，２７がオフ状態であってドアが開かれたかどうか、またはトランクスイッチ３４がオフ状態であってトランクの蓋が開かれたかどうかが、判断される。ステップｆ２においてドアまたはトランクの蓋が開かれたことが判断されると、次のステップｆ３に移り、ホーン８によってたとえば６０秒間、警報音を発生し、盗難防止のセキュリティが確保される。ステップｆ２においてドアまたはトランクの蓋が開かれておらず、閉じられたままであれば、ステップｆ４に移る。
【０１１５】
図１３は、アーミング一時解除処理の動作を説明するためのフローチャートである。この図１３に示される動作は、図１１のステップｄ１８においてアーミング一時解除フラグＦ３が論理「１」になったとき、達成される。ステップｅ１からステップｅ２に移り、トランクの蓋が開いていることがトランクスイッチ３４によって検出されると、次のステップｅ３に移り、アーミング一時解除フラグＦ３を論理「０」にする。これによってアーミングモードが引続き実行される状態に戻る。
【０１１６】
ステップｅ２において、トランクの施錠機構７が解錠動作中であって、トランクの蓋が開かれたままであり、したがってトランクスイッチ３４がオフ状態であれば、ステップｅ４に移り、こうしてアーミング一時解除フラグＦ３は、論理「１」のままに保たれる。
【０１１７】
本発明の第２の参考例を、図１４〜図１８を参照して、説明する。第２の参考例は、前述の参考例に類似し、対応する部分には同一の参照符を付し、または参照符に添字ａを付して示す。第２の参考例における送信機１の構成は、第１の参考例における図１および図２を参照して前述した構成に類似する。第２の参考例では、送信機１からの送信コード１５に含まれるボタンコード１７は、送信機１の押釦Ａの２秒未満および２秒以上、ならびに押釦Ｂの２秒未満および２秒以上の各操作時間に対応して、生成される。
【０１１８】
図１４は、本発明の第２の参考例における送信機１から送信される送信コード１５ａを示す図である。この送信コード１５ａは、ＩＤコード１６と、３ビットのボタンコード１７ａとを含む。
【０１１９】
図１５は、図１４に示されるボタンコード１７ａを示す図である。ボタンコード１７ａは、第１ビット４５と第２ビット１９ａと第３ビット２０ａとから構成される。第１ビット４５は、送信機１に備えられる押釦ＡまたはＢが２秒以上押圧操作されたとき、論理「１」であり、２秒未満では論理「０」である。第２ビット１９ａは、押釦Ｂが押圧操作されたとき論理「１」であり、操作されないとき論理「０」である。第３ビット２０ａは、押釦Ａが押圧操作されたとき論理「１」であり、操作されないとき論理「０」である。このような押釦Ａ，Ｂの操作によるボタンコードは、表５に示される。
【０１２０】
【表５】
0004603640.tif 000006
【０１２１】
図１６は、本発明の第２の参考例の送信機１の処理回路９（前述の図２参照）の動作を説明するためのフローチャートである。ステップｇ１からステップｇ２に移り、押釦Ａが押圧操作されたかどうかが判断される。押釦Ａが押圧操作されていれば、次のステップｇ３において、タイマＴ２１が刻時動作をスタートする。ステップｇ４において、押釦Ａが引続き押圧操作されているかどうかが判断され、押圧操作され続けていれば、次のステップｇ５において、タイマＴ２１の刻時した時間Ｔが予め定める限時時間Ｔ２１以上（Ｔ≧Ｔ２１）であるかどうかが判断される。時刻ｇ５において、Ｔ≧Ｔ２１であることが判断されると、押釦Ａが時間Ｔ２１以上、押圧操作されたことを表し、これによってステップｇ６では、ボタンコード１７ａとして「１０１」を生成する。押釦Ａが、時間Ｔ２１未満（Ｔ＜Ｔ２１）だけ押圧操作されたときには、ステップｇ４からステップｇ９に移り、ボタンコード１７ａとして「１００」を生成する。
【０１２２】
ステップｇ２において押釦Ａが押圧操作されていないことが判断されたとき、次のステップｇ１０では、押釦Ｂが押圧操作されたかどうかが判断される。押釦Ｂが押圧操作されたとき、もう１つのタイマＴ２２が刻時動作をスタートする。ステップｇ１２では、押釦Ｂが引続き押圧操作されているかどうかが判断され、押釦Ｂが押圧操作されていれば、次のステップｇ１３では、その押釦Ｂが押圧操作されている時間ＴがタイマＴ２２の限時時間Ｔ２２以上（Ｔ≧Ｔ２２）であるかが判断される。Ｔ≧Ｔ２２であることがステップｇ１３で判断されると、次のステップｇ１４では、ボタンコード１７ａとして「０１１」が生成される。たとえばＴ２１＝Ｔ２２＝２秒であってもよい。
【０１２３】
押釦Ｂが時間Ｔ２２未満（Ｔ＜Ｔ２２）だけ押圧操作されたときには、ステップｇ１２からステップｇ１５に移り、ボタンコード１７ａとして「０１０」を生成する。
【０１２４】
ステップｇ７では、ステップｇ６，ｇ９，ｇ１４，ｇ１５で生成されたボタンコード１７ａに、図１４に示されるＩＤコード１６を組合せて送信コード１５ａを構成し、送信回路１１によって、送信コード１５ａで変調された搬送波を送信する。
【０１２５】
この第２の参考例における受信装置４は、前述の図６に示される構成に類似し、そのメモリ３６の第１メモリ領域３７の構成は、前述の図７に示されるとおりである。
【０１２６】
図１７は、本発明の第２の参考例における第２メモリ領域３８の構成を示す図である。機能選択コードに対応して、図１７（１）〜図１７（４）のテーブルが表６のようにストアされる。
【０１２７】
【表６】
0004603640.tif 000007
【０１２８】
図１７（１）〜図１７（４）に示される各機能選択コード毎のテーブルにおいて、表７のようにボタンコード１７ａに対応して機能「１」〜「４」が設定される。特に本発明の参考例では、図１７（１）〜図１７（３）のボタンコード「３」および図１７（４）のボタンコード「４」としてパニック動作の動作情報を設定される。このパニック動作では、ホーン８が、予め定める時間Ｔ２３だけ鳴動される。
【０１２９】
【表７】
0004603640.tif 000008
【０１３０】
第２の参考例における処理回路２３は、前述の図９に示される全体の動作および前述の図１０に示される機能選択コードの入力処理動作を、同様に実行する。
【０１３１】
図１８は、本発明の第２の参考例の受信装置４の処理回路２３の受信処理の動作を説明するためのフローチャートである。この図１８の動作は、前述の図１１の動作に対応し、対応するステップｄ１〜ｄ１８には、同一の参照符を付す。注目すべきは、この第２の参考例では、パニック動作に関する新たなステップｄ２１，ｄ２２が追加される。ステップｄ４において、送信機１から送信される送信コード１５に含まれるＩＤコード１６に対応して第１メモリ領域３７の機能選択コードが読出される。たとえばこの機能選択コードが「００」であるとき、図１７（１）に示されるように第２メモリ領域３８のテーブルが選択される。送信機１からの送信コードに含まれるボタンコード１７ａが前述の表７に示されるように「１０１」であり、したがって機能選択コード「００」の機能「３」であるとき、ステップｄ２１では、動作情報はパニック動作であることが読出される。
【０１３２】
このパニック動作であることが読出されると、ステップｄ２２では、ホーン８を、予め定める時間Ｔ２３だけ、連続して鳴動する。たとえばＴ２３＝６０秒であってもよい。したがってユーザである操作者が、車両からたとえば５０ｍ程度離れた遠方の位置で、車両を盗もうとしている盗人を発見したとき、ユーザは送信機１のたとえば押釦Ａを２秒以上押圧操作する。これによって送信機１からボタンコード１７ａとして「１０１」を含む送信コード１５が送信され、機能選択コード「００」の機能「３」であるパニック動作が実行されることになる。こうして車両の盗難を防止することができる。
【０１３３】
本発明の第２の参考例では、前述の図１２のセキュリティ処理の動作と、図１３のアーミング一時解除処理の動作とが、同様に実行される。その他の構成と動作は、第１の参考例と同様である。
【０１３４】
本発明の第３の参考例を、図１９を参照して説明する。この第３の参考例における送信機１は、第１の参考例における図１および図２に関連して前述した構成に類似し、送信コード１５ａとボタンコード１７ａとは第２の参考例の図１４および図１５に関連して述べた構成に類似する。この第３の参考例では、送信機から送信される送信コードに含まれるボタンコード１７ａは、押釦Ａが予め定める時間Ｔ３１内で１回および２回以上、ならびに押釦Ｂの予め定める期間Ｔ３２内で１回および２回以上の各操作回数に対応して、生成される。なお、ここで言う操作回数とは、押釦がオフ（非押圧）からオン（押圧）になった回数を言う。
【０１３５】
図１９は、本発明の第３の参考例における送信機１の処理回路９の動作を説明するためのフローチャートである。ステップｈ１からステップｈ２に移り、送信機１の押釦Ａが押圧操作されたかどうかが判断される。押釦Ａが操作されると、次のステップｈ３では、タイマＴ３１が刻時動作をスタートする。ステップｈ４では、押釦Ａの操作回数ｎが、カウンタ４７（前述の図２参照）によって計数する。ステップｈ５では、タイマＴ３１によって刻時される時間Ｔが、限時時間Ｔ３１以上（Ｔ≧Ｔ３１）になったかどうかが判断され、限時時間Ｔ３１未満（Ｔ＜Ｔ３１）であれば、ステップｈ４を実行する。こうして限時時間Ｔ３１以内における押釦Ａの操作回数ｎが計数して求められる。
【０１３６】
ステップｈ５で、限時時間Ｔ３１が経過した後には、ステップｈ６において、操作回数ｎが２以上（ｎ≧２）であるかどうかが判断される。押釦Ａの操作回数ｎが２以上であれば、ステップｈ７において、ボタンコード１７ａとして、「１０１」を生成する。押釦Ａの操作回数ｎが１回であるとき、ステップｈ１０では、ボタンコード１７ａとして「１００」が生成される。
【０１３７】
ステップｈ２において押釦Ａが操作されていないものと判断されると、ステップｈ１１に移り、押釦Ｂが押圧操作されているかどうかが判断される。押釦Ｂが操作されていれば、次のステップｈ１２において、タイマＴ３２の刻時動作がスタートされる。スタートｈ１３では、押釦Ｂの操作回数ｍを、カウンタ４８（前述の図２参照）によって計数する。ステップｈ１４では、タイマＴ３２の時間Ｔが、限時時間Ｔ３２以上（Ｔ≧Ｔ３２）であるかが判断される。こうして限時時間Ｔ３２内における押釦Ｂの操作回数ｍが押釦Ａのときと同様に計数されることになる。たとえばＴ３１＝Ｔ３２＝２秒であってもよい。
【０１３８】
ステップｈ１５では、カウンタ４８によって計数された押釦Ｂの限時時間Ｔ３２内における操作回数ｍが、２以上であるかどうかが判断される。押釦Ｂの操作回数ｍが２以上（ｍ≧２）であるとき、ステップｈ１６では、ボタンコード１７ａとして「０１１」が生成され、操作回数ｍが１回であるときステップｈ１３において「０１０」が生成される。
【０１３９】
ステップｈ７，ｈ１０，ｈ１６，ｈ１７において生成されたボタンコード１７ａとともに、ＩＤコード１６によって送信コード１５ａが構成される。ステップｈ８では、こうして得られた送信コード１５ａによって送信回路１１では搬送波が変調され、送信される。こうしてステップｈ９では一連の動作を終了する。第３の参考例において、送信機１から送信される送信コード１５ａに含まれるボタンコード１７ａは、表８のとおりとなる。
【０１４０】
【表８】
0004603640.tif 000009
【０１４１】
受信装置４の構成と動作は、本発明の第３の参考例および後述の第４、第５および第６の参考例においては、第２の参考例に関連して述べた図６、図７、図１７、図９、図１０、図１８、図１２および図１３に関連して前述した構成および動作と同様である。
【０１４２】
本発明の第４の参考例を、図２０、図２１および図２２を参照して説明する。この参考例は、前述の参考例に類似し、対応する部分には同一の参照符を付す。この第４の参考例では、送信機１からの送信コード１５ａに含まれるボタンコード１７ａは、送信機１の押釦Ａのみの操作、押釦Ｂのみの操作、押釦Ａ，Ｂの同時操作および押釦Ａ，Ｃの同時操作に対応して、生成される。
【０１４３】
図２０は、本発明の第４の参考例の送信機１を示す図である。特にこの参考例では、送信機１のハウジング２には、前述と同様な押釦Ａ，Ｂのほかに、さらに同様な押釦Ｃが設けられる。
【０１４４】
図２１は、本発明の第４の参考例における送信機１の電気的構成を示すブロック図である。押釦Ａ，Ｂ，Ｃの出力は、処理回路９に与えられる。処理回路９には、メモリ１４が接続される。送信機１から送信される送信コード１５ａは、前述の第２の参考例における図１４と同様であり、ボタンコード１７ａの構成は、図１５に示されるように第１〜第３ビット４５，１９ａ，２０ａを有する。第４の参考例では、押釦Ａのみを押圧操作し、または押釦Ｂのみを押圧操作するほかに、押釦Ａ，Ｂを同時に押圧操作し、または押釦Ｂ，Ｃを同時に押圧操作することによって、それらの各操作態様に対応したボタンコード１７ａが、表９のように生成される。
【０１４５】
【表９】
0004603640.tif 000010
【０１４６】
図２２は、本発明の第４の参考例における送信機１の処理回路９の動作を説明するためのフローチャートである。ステップｉ１からステップｉ２に移り、押釦Ａが押圧操作されたかどうかが判断され、押圧操作されていれば、次のステップｉ３において、タイマＴ４１の刻時動作がスタートする。スタートｉ４では、押釦Ｂが押圧操作されたかどうかが判断され、押圧操作されていれば、したがって押釦Ａ，Ｂが同時に操作されていれば、ステップｉ５においてボタンコード１７ａとして「１１０」が生成される。ステップｉ４において押釦Ｂが操作されていないとき、次のステップｉ９において押釦Ｃが押圧操作されているかどうかが判断され、押釦Ｃが押圧操作されていれば、したがって押釦Ａ，Ｃが同時に操作されていれば、ステップｉ１０においてボタンコード「１０１」が生成される。
【０１４７】
ステップｉ９において押釦Ｃが押圧操作されておらず、したがって押釦Ａだけが操作されているとき、ステップｉ１１において、ボタンコード「１００」が生成される。
【０１４８】
ステップｉ６ではタイマＴ４１による刻時時間Ｔが、限時時間Ｔ４１以内（Ｔ≧Ｔ４１）であるかどうかが判断される。こうして限時時間Ｔ４１以内における押釦Ａ，Ｂの同時操作、押釦Ａ，Ｃの同時操作および押釦Ｃのみの操作が判断されて各押圧操作された押釦に対応するボタンコード１７ａが生成される。
【０１４９】
ステップｉ２において押釦Ａが押圧操作されていないことが判断されると、次のステップｉ１２に移り、押釦Ｂが押圧操作されたかどうかが判断される。押釦Ｂが押圧操作されると、次のステップｉ１３においてタイマＴ４２が刻時動作を開始する。次のステップｉ１４では、押釦Ａが押圧操作されたかどうかが判断され、押釦Ａが押圧操作され、したがって押釦Ａ，Ｂが押圧操作されたことが判断されると、ステップｉ１５では、ボタンコード「１１０」が生成される。ステップｉ１４において押釦Ａが押圧操作されていなければ、したがって押釦Ｂのみが操作されているとき、ステップｉ１７においてボタンコード「０１０」が生成される。ステップｉ１６では、タイマＴ４２の刻時動作Ｔが、限時時間Ｔ４２以内（Ｔ≧Ｔ４２）であるかどうかが判断される。こうして限時時間Ｔ４２以内における方向Ａ，Ｂの同時操作および押釦Ｂのみの操作が検出されてこれらの操作された押釦Ａ，Ｂに対応するボタンコード１７ａが生成される。
【０１５０】
ステップｉ２，ｉ１２において押釦Ａ，Ｂが操作されていないことが判断されると、ステップｉ１８では、押釦Ｃが押圧操作されたかどうかが判断される。押釦Ｃが押圧操作されたときには、ステップｉ１９においてタイマＴ４３が刻時動作を開始する。ステップｉ２０では、押釦Ａがさらに押圧操作されたかどうかが判断される。押釦Ａが操作されたとき、したがって押釦Ａ，Ｂが同時操作されたとき、ステップｉ２１では、ボタンコード１７ａとして、「１０１」を生成する。ステップｉ２２では、タイマＴ４３の刻時時間Ｔが、限時時間Ｔ４３以内（Ｔ≧Ｔ４３）であるかどうかが判断される。こうして限時時間Ｔ４３以内における押釦Ａ，Ｃの同時操作が検出され、このとき上述のように同時操作された押釦Ａ，Ｃに対応するボタンコード１７ａである「１０１」が生成される。
【０１５１】
ステップｉ７では、上述のステップｉ５，ｉ１０，ｉ１１，ｉ１５，ｉ１７，ｉ２１においてそれぞれ生成されたボタンコード１７ａとともに、送信機識別コード１６によって送信コード１５ａを構成し、送信回路１１によって搬送波を変調して送信動作を行う。こうしてステップｉ８では、一連の動作を終了する。たとえば限時時間Ｔ４１＝Ｔ４２＝Ｔ４３＝２秒であってもよい。本発明の第４の参考例における受信装置４は、前述の第２の参考例に関連して述べた図６、図７、図１７、図９、図１０、図１８、図１２および図１３の構成および動作と同様である。
【０１５２】
本発明の第５の参考例を、図２３を参照して説明する。第５の参考例において用いられる送信機１は、第２の参考例に類似し、図１、図２、図１４および図１５に関連して述べた構成と動作に類似する。第５参考例では、送信機１には、複数、たとえば２つの押釦Ａ，Ｂが備えられ、送信コード１５ａに含まれるボタンコード１７ａは、押釦Ａのみの操作、押釦Ｂのみの操作、押釦Ａ，Ｂの２秒未満の同時操作、および押釦Ａ，Ｂの２秒以上の同時操作の合計４つの操作の種類に対応して、表１０のようにそれぞれ生成される。
【０１５３】
【表１０】
0004603640.tif 000011
【０１５４】
図２３は、本発明の第５の参考例の送信機１における処理回路９の動作を説明するためのフローチャートである。ステップｊ１からステップｊ２に移り、押釦Ａが押圧操作されたかどうかが判断され、押圧操作されていれば、次のステップｊ３に移り、押釦Ｂが押圧操作されたかどうかが判断される。押釦Ｂが操作されていれば、ステップｊ５においてタイマＴ５１の刻時動作がスタートする。ステップｊ６，ｊ７において押釦Ａ，Ｂが押圧操作されていることがそれぞれ判断されると、次のステップｊ８では、タイマＴ５１による刻時時間Ｔが、限時時間Ｔ５１以上（Ｔ≧Ｔ５１）であるかどうかが判断される。ステップｊ８において限時時間Ｔ５１が経過したとき、したがって押釦Ａ，Ｂが同時に操作されている時間が、限時時間Ｔ５１以上であるとき、ステップｊ９においてボタンコード１７ａとして「１１１」を生成する。ステップｊ６またはｊ７において押釦Ａ，Ｂが操作されていないことが判断されたとき、したがって押釦Ａ，Ｂが限時時間Ｔ５１未満（Ｔ＜Ｔ５１）だけ押圧操作されたとき、ステップｊ１０に移る。ステップｊ１０では、ボタンコード１７ａとして「１１０」を生成する。
【０１５５】
前述のステップｊ２において押釦Ａが操作され、次のステップｊ３において押釦Ｂが操作されていないことが判断されたとき、ステップｊ１１に移り、タイマＴ５２によって定められる限時時間Ｔ５２内（Ｔ＜Ｔ５２）に、押釦Ａ，Ｂの同時操作が行われたかどうかが判断される。同時に押釦Ａ，Ｂが操作されたときには、前述のステップｊ５に移る。限時時間Ｔ５２以内に押釦Ａ，Ｂが同時操作されていないとき、ステップｊ１１からｊ１２に移り、押釦Ａのみの操作に対応するボタンコード１７ａとして「１００」が生成される。たとえばＴ５１＝Ｔ５２＝２秒であってもよい。
【０１５６】
ステップｊ２において押釦Ａが操作されず、次のステップｊ１３において押釦Ｂが押圧操作されたとき、ステップｊ１４において、タイマＴ５３の限時時間Ｔ５３内（Ｔ＜Ｔ５３）に、押釦Ａ，Ｂの同時操作が行われたかどうかが判断される。ステップｊ１４において押釦Ａ，Ｂの同時操作が行われたとき、ステップｊ５に移る。ステップｊ１４において押釦Ａ，Ｂの同時操作が行われないと判断されたとき、ステップｊ１５では、押釦Ｂのみの操作に対応する釦コード１７ａとして「０１０」が生成される。
【０１５７】
ステップｊ１６では、前述のステップｊ９，ｊ１０，ｊ１２，ｊ１５においてそれぞれ生成されたボタンコード１７ａとともにＩＤコード１６によって送信コード１５ａを構成し、送信回路１１によって送信を行う。こうしてステップｊ１７では、一連の動作を終了する。
【０１５８】
第５の参考例の受信装置４では、前述のように第２の参考例と同様な構成と動作が達成される。第５の参考例では、前述の表７に代えて、表１１のように、各機能選択コード毎のテーブルにおいて、ボタンコード１７ａに対応して機能「１」〜「４」が設定される。
【０１５９】
【表１１】
0004603640.tif 000012
【０１６０】
第５の参考例の受信装置４は、前述のように、第２の参考例における図６、図７、図１７、図９、図１０、図１８、図１２および図１３と同様な構成と動作が達成される。
【０１６１】
本発明の第６の参考例を、図２４を参照して説明する。この参考例は、前述の本発明の第２の参考例に類似する。特にこの第６の参考例では、送信機１には、複数、たとえば２つの押釦Ａ，Ｂが備えられ、押釦Ａのみの操作、押釦Ｂのみの操作、押釦Ａ，Ｂの１回のみの同時操作、押釦Ａ，Ｂの予め定める時間Ｔ６１以内の２回以上の同時操作の合計４つの種類の操作が行われ、各操作に対応するボタンコード１７ａが生成される。
【０１６２】
第６の参考例における送信機１は、前述の第２の参考例において図１、図２、図１４および図１５に関連して述べた構成および動作と類似する。送信機１は、表１２に示されるようにボタンコード１７ａを生成する。
【０１６３】
【表１２】
0004603640.tif 000013
【０１６４】
図２４は、本発明の第６の参考例における送信機１の処理回路９の動作を説明するためのフローチャートである。ステップｋ１からステップｋ２では、押釦Ａが押圧操作されたかどうかが判断され、操作されていれば、次のステップｋ３において押釦Ｂが押圧操作されたかどうかが判断される。押釦Ａ，Ｂが操作されているとき、ステップｋ４では、タイマＴ６１によって定められる限時時間Ｔ６１内（Ｔ＜Ｔ６１）に押釦Ａ，Ｂの同時操作が行われた回数ｐを、カウンタ５１（前述の図２参照）で計数される。
【０１６５】
ステップｋ５では、押釦Ａ，Ｂの同時操作の回数ｐが２回以上（Ｐ≧２）であるかどうかが判断され、２回以上であれば、ステップｋ６においてボタンコード１７ａとして「１１１」を生成し、前記回数ｐが１回であれば、ステップｋ８において「１１０」を生成する。
【０１６６】
前述のステップｋ２において押釦Ａが操作され、ステップｋ３において押釦Ｂが操作されていないことが判断されたときには、ステップｋ１０において、タイマＴ６２の限時時間Ｔ６２内（Ｔ＜Ｔ６２）に押釦Ａ，Ｂが同時操作されたかどうかが判断され、同時操作されていれば、前述のステップｋ４に移る。押釦Ａ，Ｂがステップｋ１０において同時操作されていないことが判断されたとき、したがって押釦Ａのみが操作されたとき、ステップｋ１１において、ボタンコード１７ａとして「１００」が生成される。
【０１６７】
前述のステップｋ２において押釦Ａが操作されていないとき、ステップｋ９では、押釦Ｂが操作されたかどうかが判断される。ステップｋ９において押釦Ｂが操作されていると判断されたとき、ステップｋ１２において、タイマＴ６３の限時時間Ｔ６３内（Ｔ＜Ｔ６３）に押釦Ａ，Ｂが同時操作されたかどうかが判断される。ステップｋ１２において押釦Ａ，Ｂが同時操作されたことが判断されたときには、前述のステップｋ４に移る。ステップｋ１２において押釦Ａ，Ｂが同時操作されたことが判断されないとき、したがって押釦Ｂのみが操作されたとき、ステップｋ１３では、ボタンコード１７ａとして、「０１０」を生成する。たとえばＴ６１＝Ｔ６２＝Ｔ６３＝２秒であってもよい。
【０１６８】
ステップｋ７では、前述のステップｋ６，ｋ８，ｋ１１，ｋ１３において生成されたボタンコード１７ａとともに、ＩＤコード１６によって送信コード１５ａを生成し、送信回路１１によって前述の参考例と同様にして電磁波を送信し、こうしてステップｋ１５では一連の動作を終了する。
【０１６９】
第６の参考例における受信装置４は、前述の第２の参考例に類似し、図６、図７、図１７、図９、図１０、図１８、図１２および図１３と同様な構成と動作が達成されるけれども、前述の表７に代えて、前述の第５の参考例における表１１が用いられる。
【０１７０】
本発明の第７の参考例を、図２５、図２６および図２７を参照して説明する。この参考例は、前述の第１の参考例に類似し、対応する部分には同一の参照符を付す。
【０１７１】
図２５は、本発明の第７の参考例における送信機１を示す図である。注目すべきはこの第７の参考例では、送信機１のハウジング２には、単一の押釦Ａが備えられる。その他の構成は、前述の第１の参考例に類似する。
【０１７２】
図２６は、図２５に示される第７の参考例における送信機１の電気的構成を示すブロック図である。押釦Ａの出力は、送信機１のマイクロコンピュータなどによって実現される処理回路９に与えられる。その他の構成は、前述の第１の参考例と同様である。送信機１における送信コード１５は、前述の図３に示されるように、ＩＤコード１６とボタンコード１７とを含む。ボタンコード１７は、前述の図４のように、２つのビット１９，２０を有する。ボタンコード１７の第１ビット１９は、押釦Ａの押圧操作時間Ｔが予め定める時間Ｔ７１以上（Ｔ≧Ｔ７１）であるとき、論理「１」となり、第２ビット２０は、押釦Ａが操作されることによって論理「１」となる。
【０１７３】
特に第７の参考例では、押釦Ａの押圧操作時間Ｔが予め定める時間Ｔ７１未満（Ｔ＜Ｔ７１）であるか、または時間Ｔ７１以上（Ｔ≧Ｔ７１）であるかによって、表１３のようにボタンコード１７が定められる。
【０１７４】
【表１３】
0004603640.tif 000014
【０１７５】
図２７は、図２５および図２６に示される本発明の第７の参考例における送信機１の処理回路９の動作を説明するためのフローチャートである。ステップｍ１からステップｍ２に移り押釦Ａが押圧操作されたかどうかが判断される。押釦Ａが操作されていると判断されたとき、次のステップｍ３に移り、タイマＴ７１が刻時動作をスタートする。ステップｍ４では、押釦Ａが引き続き押圧操作されているかどうかが判断され、押圧操作されていれば、次のステップｍ５では、タイマＴ７１の刻時時間Ｔが限時時間Ｔ７１以上であるか（Ｔ≧Ｔ７１）であるかが判断される。限時時間Ｔ７１が経過すると、ステップｍ５からステップｍ６に移り、押釦Ａが、限時時間Ｔ７１以上、押圧操作されたことに対応するボタンコード１７として「１１」が生成される。
【０１７６】
タイマＴ７１の刻時時間Ｔが限時時間Ｔ７１未満（Ｔ＜Ｔ７１）で、押釦Ａが押圧操作されなくなると、ステップｍ４からステップｍ９に移り、ボタンコード１７として、押釦Ａが限時時間Ｔ７１未満だけ押圧されたことに対応する「１０」が生成される。ステップｍ７では、ステップｍ６，ｍ９において生成されたボタンコード１７に、前述のＩＤコード１６とともに送信コード１５を送信回路１１に与えて電磁波を送信する。ステップｍ８では一連の動作を終了する。たとえば限時時間Ｔ７１＝２秒であってもよい。
【０１７７】
本発明の第７の参考例における受信装置４は、図６〜図１３に関連して述べた第１の参考例に類似する。第７の参考例では、前述の第１の参考例における表３に代えて、次の表１４に示されるように、ボタンコード１７に対応して図８の機能「１」および「２」が予め定められる。その他の構成と動作は、第１の参考例と同様である。
【０１７８】
【表１４】
0004603640.tif 000015
【０１７９】
本発明の第８の参考例を、図２８を参照して説明する。この第８の参考例における送信機１は、第１の参考例における図１および図２に関連して前述した構成に類似する。特に第８の参考例では、送信機１の押釦Ａを予め定める時間Ｔ８１内で１回のみの操作および押釦Ａを予め定める時間Ｔ８１内で断続的に２回以上の操作にそれぞれ対応して、表１５のようにボタンコード１７が生成される。ボタンコード１７の第１ビット１９は、押釦Ａが予め定める時間Ｔ８１内で２回以上、操作されたとき論理「１」となる。第２ビット２０は、押釦Ａが操作されることによって、論理「１」になる。
【０１８０】
【表１５】
0004603640.tif 000016
【０１８１】
本発明の第８の参考例における送信機１は、第７の参考例における図５、図２６、図３および図４と同様な構成と動作が達成される。
【０１８２】
図２８は、本発明の第８の参考例における送信機１の処理回路９の動作を説明するためのフローチャートである。ステップｎ１からステップｎ２に移り、押釦Ａが操作されたかどうかが判断され、操作されていれば、ステップｎ３においてタイマＴ８１の刻時動作をスタートする。ステップｎ４では、押釦Ａの押圧操作回数ｒを、カウンタ５３（前述の図２参照）によって計数する。ステップｎ５では、タイマＴ８１の刻時時間Ｔが、限時時間Ｔ８１以上（Ｔ≧Ｔ８１）であるかが判断される。刻時時間Ｔが、限時時間Ｔ８１以上であることが、ステップｎ５で判断されると、ステップｎ６に移り、押釦Ａのカウンタ５３による計数値ｒが２回以上であるかどうかが判断され、２回以上であれば、ステップｎ７においてボタンコード１７として「１１」を生成する。カウンタ５３によう計数値ｒが２未満であるとき、すなわち１回であるとき、ステップｎ１０に移り、ボタンコード１７として「１０」を生成する。
【０１８３】
ステップｎ８では、前述のステップｎ７，ｎ１０において生成されたボタンコード１７とともに、ＩＤコード１６とによって送信コード１５を構成し、送信回路１１から送信し、こうしてステップｎ９で一連の動作を終了する。本発明の第８の参考例における受信装置４は、前述の第７の参考例と同様であり、すなわち第１の参考例における図６〜図１３に関連して述べた構成と動作を有し、第１の参考例における表３に代えて、前述の表１４が用いられる。
【０１８４】
前述の本発明の第１〜第８の参考例では、送信機１に備えられた１または複数の押釦Ａ，Ｂを操作することによって、その操作された押釦Ａおよび／またはＢに対応したボタンコードが生成され、またはそれらの押釦Ａ，Ｂの操作態様、たとえば連続する操作時間もしくは予め定める時間内の操作回数などに対応したボタンコード１７，１７ａが生成される。送信機１から、そのようなボタンコードを含む送信コード１５，１５ａが送信されるように構成される。受信装置４では、送信機識別コード１６に対応する機能選択コードが第１メモリ領域３７から読出され、この機能選択コード毎に、第２メモリ領域３８におけるボタンコード１７，１７ａに対応する動作情報が決定されるように構成される。
【０１８５】
これに対して次に述べる本発明の第９〜第１２の参考例および第１〜第３の実施の形態では、送信機１の構成が、もっと簡略化される。本発明の第９〜第１１の参考例および第３の実施の形態では、送信機１に備えられる押釦Ａおよび／またはＢの操作時間にわたって、送信コード１５が送信される。本発明の第１〜第３の各実施の形態および第１２の参考例では、押釦Ａおよび／またはＢの操作のたびに送信コードが送信される。受信装置４は、本発明の第９〜第１１の参考例および第３の実施の形態では、受信される送信コードの継続時間に対応する動作情報を決定し、また本発明の第１〜第３の実施の形態および第１２の参考例では、送信コードの予め定める時間内の受信回数に対応する動作情報を決定する。第１０の参考例および第２の実施の形態では、送信機１では、押釦Ａのみ、または押釦Ｂのみの操作に対応してボタンコードが生成され、受信装置４では、それらの各ボタンコードに対応して動作情報を決定する。
【０１８６】
本発明の第９の参考例を、図２９、図３０および図３１を参照して説明する。第９の参考例は、前述の参考例に類似し、対応する部分には同一の参照符を付す。第９の参考例における送信機１の構成は、第１の参考例における図１〜図５を参照して前述した構成に類似する。
【０１８７】
図２９は、本発明の第９の参考例の送信機１から送信される送信コード１５を示す図である。送信機１の処理回路９は、押釦ＡまたはＢの操作時間Ｔ９１にわたって、送信コード１５を、図２９（１）のように、繰返して連続的に生成して、送信回路１１によって送信させる。各送信コード１５は、送信機固有の送信機識別コード１６と、ボタンコード１７とを含んで、前述の図３のように構成される。ボタンコード１７は、操作された押釦ＡまたはＢに対応して、表１６のように構成される。ボタンコード１７の第１ビット１９は、押釦Ｂの操作時に論理「１」となる。第２ビット２０は、押釦Ａの操作時に論理「１」になる。
【０１８８】
【表１６】
0004603640.tif 000017
【０１８９】
単一の送信コード１５は、たとえば前述のように２０μｓｅｃの期間を有し、ユーザによる押釦ＡまたはＢの操作時間Ｔ９１は、たとえば０．１〜３秒であってもよい。処理回路９は、第９の参考例において、操作された押釦ＡまたはＢに対応するボタンコード１７を含む送信コード１５を、前述の図５のステップａ４で、その操作時間Ｔ９１にわたって、前述のように繰返して連続的に送信回路１１に与える。本発明の他の参考例では、押釦Ａ，Ｂの操作によって、送信機１の処理回路９は、図２９（２）に示されるように、ＩＤコード１６をたとえば単一回送信するとともに、操作された押釦ＡまたはＢに対応するボタンコード１７を繰返して連続的に、押釦Ａ，Ｂが操作されなくなるまで、生成するように構成してもよい。本発明のさらに他の参考例では、図２９（３）に示されるように、処理回路９は、押釦ＡまたはＢの操作によって、ＩＤコード１６と、ボタンコード１７と、さらに連続コード６１が送信され、この連続コード６１は、押釦Ａ，Ｂが操作されなくなるまで、繰返して連続する。このようにして第９の参考例では、送信機１からは、図２９（１）〜図２９（２）に示されるように、押釦Ａ，Ｂの操作時間にわたって繰返して連続する送信コード１５が送信される。図２９（２）では、押釦Ａ，Ｂの操作時間にわたって繰返して連続的に送信される送信コードを参照符６３で示し、図２９（３）では、参照符６４で示す。
【０１９０】
本発明の第９の参考例における受信装置４の構成は、第２の参考例における図６、図７、図１７、図９および図１０を参照して前述した構成に類似する。
【０１９１】
図３０は、本発明の第９の参考例における受信装置４の処理回路２３の動作を説明するためのフローチャートである。この第９の参考例では、処理回路２３は、前述の図１１におけるステップｄ１，ｄ２，ｄ４〜ｄ１８にそれぞれ対応するステップｐ１，ｐ２，ｐ４〜ｐ１８と同様な動作が実行される。注目すべきは、ステップｐ３では、受信した送信コード１５に含まれるボタンコード１７を読取るとともに、さらにその送信コード１７の継続時間Ｔ９１を計測して検出する。こうしてボタンコード１７と検出された継続時間Ｔ９１に対応して、前述のステップｐ２で読出された機能選択コードに含まれる複数種類（たとえば４）の機能「１」〜「４」が、表１７に従って選ばれ、こうして次のステップｐ４では、機能「１」〜「４」のうちの１つが決定される。受信装置４のその他の構成と動作は、前述の参考例と同様である。
【０１９２】
【表１７】
0004603640.tif 000018
【０１９３】
図３１は、図３０におけるステップｐ３の動作を、もっと具体的に示すフローチャートである。ステップｐ２１からステップｐ２２に移り、送信機１の押釦Ａが操作されたことによるボタンコード１７が「１０」であるかどうかが判断され、そうであれば、次のステップｐ２３においてタイマＴ９２が刻時動作をスタートする。ステップｐ２４において、ボタンコード１７が、引続き「１０」であるかどうか、すなわち押釦Ａが引続き操作されているかどうかが判断され、そうであれば、ステップｐ２５に移り、タイマＴ９２の刻時時間Ｔが、予め定める限時時間Ｔ９２以上（Ｔ≧Ｔ９２）であるかどうかが判断される。押釦Ａに対応するボタンコード１７が「１０」である操作時間Ｔ９１が、限時時間Ｔ９２以上であることが判断されると、次のステップｐ２６に移り、機能「３」が選択して決定される。操作時間Ｔ９１が、限時時間Ｔ９２と比較されて、その限時時間Ｔ９２未満（Ｔ９１＜Ｔ９２）であることが判断されると、ステップｐ２４からステップｐ２８に移り、機能「１」が決定される。
【０１９４】
送信機１の押釦Ｂが操作されることによって、受信されたボタンコード１７が、「０１」であれば、ステップｐ２２からステップｐ２９を経てステップｐ３０では、タイマＴ９３の刻時動作がスタートする。ステップｐ３１では、押釦Ｂが引続き操作されてボタンコード１７が「０１」のままであるかどうかが判断され、そうであれば、次のステップｐ３２では、タイマＴ９３の刻時時間Ｔが限時時間Ｔ９３以上（Ｔ≧Ｔ９３）であるかが判断される。押釦Ｂの操作時間Ｔ９１が、限時時間Ｔ９３以上であれば、ステップｐ３３に移り、機能「４」が決定される。押釦Ｂの操作時間Ｔ９１が、限時時間Ｔ９３未満であれば、ステップｐ３４において機能「２」が決定される。たとえばＴ９２＝Ｔ９３＝２秒であってもよい。
【０１９５】
第９の参考例でもまた、前述の図１２のセキュリティ処理の動作および図１３のアーミング一時解除処理の動作が、同様に行われる。
【０１９６】
本発明の第１０の参考例を、図３２および図３３を参照して、説明する。第１０の参考例は、前述の参考例に類似し、対応する部分には同一の参照符を付す。第１０の参考例における送信機１の構成は、第９の参考例に類似し、図１〜図４を参照して前述した構成と同様である。特に第１０の参考例では、送信機１に設けられた押釦Ａ，Ｂの操作の種類が、押釦Ａのみの操作、押釦Ｂのみの操作だけでなく、さらに押釦Ａ，Ｂの同時操作の合計３つの種類の操作が判別される。これらの各操作の種類毎に、送信機１の処理回路９は、表１８のようにボタンコード１７を生成する。それらの押釦Ａおよび／またはＢの操作時間にわたって繰返して連続する送信コード１５を、前述の図２９のようにして生成し送信する。
【０１９７】
【表１８】
0004603640.tif 000019
【０１９８】
図３２は、本発明の第１０の参考例の送信機１の処理回路９の動作を説明するためのフローチャートである。ステップｑ１からステップｑ２に移り、押釦Ａが操作されたかどうかが判断され、操作されていれば、次のステップｑ３に移り、押釦Ｂが操作されたかどうかが判断される。こうして押釦Ａ，Ｂの両者が操作されていることが判断されると、次のステップｑ５では、ボタンコード１７として「１１」を生成する。押釦Ａだけが操作されていれば、ステップｑ３からステップｑ４に移り、ボタンコード１７として「１０」を生成する。
【０１９９】
ステップｑ２において押釦Ａが操作されておらず、次のステップｑ８において押釦Ｂが操作されていることが判断されると、ステップｑ９においてボタンコード１７として「０１」を生成する。ステップｑ６では、処理回路９で、ステップｑ５，ｑ４，ｑ９で生成されたボタンコード１７とともに、送信機識別コード１６とを含む送信コード１５を、送信回路１１に与えて送信が行われる。この送信コード１５の送信は、図２９に関連して前述した第９の参考例と同様に、押釦Ａおよび／またはＢの操作時間にわたって、継続する。
【０２００】
本発明の第１０の参考例における送信機１は、前述の第９の参考例に類似する。特にこの参考例では、押釦ＡおよびＢの同時操作の操作時間Ｔ９１に対応して、機能がさらに決定される。第９の参考例における受信装置４の構成は、第９の参考例に類似し、図６、図７、図１７、図９、図１０および図３０と同様な構成および動作が実現される。
【０２０１】
特に第１０の参考例では、前述の図３０におけるステップｐ３では、次の図３３の動作が、処理回路２３によって実行される。これによって表１９のように、ボタンコード１７と、押釦Ａ，Ｂの同時操作の継続時間Ｔ９１とに対応した機能「１」〜「４」が、表１９のように決定される。
【０２０２】
【表１９】
0004603640.tif 000020
【０２０３】
図３３は、本発明の第１０の参考例の受信装置４の処理回路２３の動作を説明するためのフローチャートである。この図３３に示される動作は、前述の図３０におけるステップｐ３で実行される。ステップｑ２１からステップｑ２２に移り、送信機１の押釦Ａに対応して受信されたボタンコード１７が「１０」であるかどうかが判断され、ステップｑ２３では、機能「１」が選択されて決定される。
【０２０４】
押釦Ａが操作されず、ステップｑ２２から次のステップｑ２５に移り、押釦Ｂが操作されて、ボタンコード１７として「０１」が受信されたことが判断されると、次のステップｑ２６では、機能「２」が決定される。
【０２０５】
ステップｑ２２において押釦Ａだけが操作されず、またステップｑ２５において押釦Ｂだけが操作されないとき、ステップｑ２７では、押釦Ａ，Ｂが同時操作されることによってボタンコード１７として「１１」が受信されたかどうかが判断される。このボタンコード１７として「１１」が受信されたとき、次のステップｑ２８では、タイマＴ１０１の刻時動作がスタートする。ステップｑ２９において、押釦Ａ，Ｂの同時操作が引続き行われており、したがってボタンコード「１１」が受信されていることが判断されると、ステップｑ３０では、タイマＴ１０１の刻時時間Ｔが、限時時間Ｔ１０１以上（Ｔ≧Ｔ１０１）であるかどうかが判断される。押釦Ａ，Ｂの同時操作の操作時間Ｔ９１であるタイマＴ１０１の刻時時間Ｔが、限時時間Ｔ１０１以上であることが、ステップｑ３０で判断されると、ステップｑ３１では、機能「４」が決定される。押釦Ａ，Ｂの同時操作の操作時間Ｔ９１が、限時時間Ｔ１０１未満であれば、ステップｑ２９からステップｑ３２に移り、機能「３」が決定される。第１０の参考例では、前述の図１２および図１３と同様な構成および動作が達成される。そのほかの構成と動作は、本発明の第９の参考例に類似する。
【０２０６】
本発明の第１の実施の形態を、図３４、図３５および図３６を参照して、説明する。第１の実施の形態は、前述の参考例に類似し、対応する部分には同一の参照符を付す。第１の参考例における送信機１の構成は、第１の参考例における図１〜図４を参照して前述した構成に類似する。すなわち送信機１の複数の押釦Ａ，Ｂのいずれか一方を押圧操作することによって、２ビットから成るボタンコード１７が、前述の表１６のように生成される。このボタンコード１７とともにＩＤコード１６を含む送信コード１５が、送信回路１１から送信される。この第１の実施の形態では、押釦Ａ，Ｂの操作時間にかかわらず、操作されるたび毎に、送信コード１５が単一回または予め定める複数回だけ送信され、あるいは操作時間にわたって継続して送信コード１５が送信される。
【０２０７】
図３４は、本発明の第１の実施の形態における送信機１の処理回路９の動作を説明するためのフローチャートである。ステップｒ１からステップｒ２に移り、押釦Ａが操作されているかどうかが判断され、操作されていれば、ステップｒ３において押釦Ｂが操作されているかどうかが判断される。押釦Ａのみが操作されていれば、ステップｒ４において、ボタンコード１７として「１０」が生成される。
【０２０８】
押釦Ａが操作されておらず、押釦Ｂのみが操作されているとき、ステップｒ２，ｒ６を経てステップｒ７に移る。ステップｒ７では、押釦Ｂのみの操作に対応したボタンコード１７として「０１」を生成する。こうしてステップｒ８では、押釦ＡまたはＢが操作されるたび毎に、ステップｒ４，ｒ７で生成されたボタンコード１７とともに、ＩＤコード１６とを含む送信コード１５を生成して、送信回路１１から送信する。
【０２０９】
本発明の第１の実施の形態における受信装置４の構成は、第９の参考例における図６、図７、図１７、図９および図１０を参照して前述した構成に類似し、このことは次に述べる第２および第３の実施の形態においても同様である。
【０２１０】
図３５は、本発明の第１の実施の形態における受信装置４の処理回路２３の受信処理の動作を説明するためのフローチャートである。この図３５の動作は、前述の図３０の動作に類似し、図３５のステップｒ２１，ｒ２２、ｒ２４〜ｒ３８は、図３０のステップｐ１，ｐ２，ｐ４〜ｐ１８にそれぞれ対応する。注目すべきはこの第１の実施の形態では、ステップｒ２３において、処理回路２３は、送信機１から送信される送信コード１５の予め定める時間Ｔ１１１，Ｔ１１２内の受信回数を計数して検出する。なお、受信回数は、送信コードを受信してから途切れるまでを１回としている。受信したボタンコード１７と検出された受信回数とに対応して、表２０のように機能選択コードの機能「１」〜「４」を選択して、次のステップｒ２４で決定する。送信機１で押釦Ａが操作されてボタンコード１７として「１０」が送信され、その操作回数が前記予め定める時間内で１回であれば、機能「１」が選択され、２回以上であれば機能「３」が選択される。また押釦Ｂが操作され、その操作回数が前記予め定める時間内で１回であれば、機能「２」が選択され、２回以上であれば、機能「４」が選択される。
【０２１１】
【表２０】
0004603640.tif 000021
【０２１２】
図３６は、本発明の第１の実施の形態における受信装置４の処理回路２３の図３５におけるステップｒ２３の具体的な動作を説明するためのフローチャートである。ステップｒ４１からステップｒ４２に移り、送信機１の押釦Ａに対応するボタンコード１７として「１０」が受信されたかどうかが判断され、受信されていれば、次のステップｒ４３においてタイマＴ１１１の刻時動作をスタートする。ステップｒ４４では、押釦Ａの操作に対応するボタンコード「１０」の断続的な操作による受信回数ｓを、カウンタ５５（前述の図６参照）で計数する。ステップｒ４５では、タイマＴ１１１の刻時時間Ｔが、限時時間Ｔ１１１以上（Ｔ≧Ｔ１１１）であるかどうかが判断される。限時時間Ｔ１１１か経過すると、ステップｒ４６では、計数値ｓが２以上であるかが判断される。計数値ｓが２以上であるとき、ステップｒ４７では、機能「３」が選択されて決定される。計数値ｓが１回であるとき、ステップｒ４９では、押釦Ａの１回の操作に対応する機能「１」が選択されて決定される。
【０２１３】
送信機１の押釦Ｂが操作されると、ステップｒ４２からステップｒ５０に移り、次のステップｒ５１においてタイマＴ１１２の刻時動作がスタートされる。ステップｒ５２では、押釦Ｂの間欠的な操作による受信回数ｓが計数される。ステップｒ５３においてタイマＴ１１２の刻時時間Ｔが、限時時間Ｔ１１２以上（Ｔ≧Ｔ１１２）を経過したことが判断されると、ステップｒ５４では、ステップｒ５２の計数値ｓが２以上であるかどうかが判断される。押釦Ｂが限時時間Ｔ１１２内で２回以上操作されたとき、ステップｒ５４からステップｒ５５に移り、機能「４」が選択される。押釦Ｂの操作が１回であるとき、ステップｒ５４からステップｒ５６に移り、機能「２」が選択されて決定される。
【０２１４】
本発明の第１の実施の形態における図１２および図１３の動作が同様に行われる。本発明の第２の実施の形態を、図３７を参照して、説明する。第２の実施の形態における送信機１の構成は、前述の第１の実施の形態に類似する。第２の実施の形態では、送信機１の構成は、前述の第１０の参考例と同様に、図１〜図４および図３２と同様な構成および動作が達成される。特に第２の実施の形態では、送信機１の押釦Ａのみの操作によってボタンコード１７として「１０」が生成され、押釦Ｂのみの操作によってボタンコード「０１」が生成され、さらにそれだけでなく、押釦Ａ，Ｂの同時操作によってボタンコード「１１」が前述の第９の参考例における表１８のように生成される。これらの合計３種類の操作時に、送信コード１５は、第１の実施の形態と同様に１回だけ、予め定める複数回、または操作時間にわたって繰返して連続的に送信される。送信機１の処理回路９は、第１０の参考例における図３２を参照して実行された動作と同様であってもよい。
【０２１５】
本発明の第２の実施の形態における受信装置４は、第１の実施の形態における図６、図７、図１７、図９、図１０、図３５、図１２および図１３を参照して前述した構成に類似する。特にこの第２の実施の形態では、表２１のように送信機１の押釦ＡまたはＢのみの操作に対応して機能「１」または「２」がそれぞれ選択されて決定される。さらに押釦Ａ，Ｂの同時操作が行われたとき、その同時操作の予め定める操作時間Ｔ１２１内の断続的な操作による受信回数に対応して、機能「３」，「４」が決定される。
【０２１６】
【表２１】
0004603640.tif 000022
【０２１７】
図３７は、本発明の第２の実施の形態における受信装置４の処理回路２３の図３５におけるステップｒ２３の具体的動作を説明するためのフローチャートである。ステップｓ１からステップｓ２に移り、送信機１の押釦Ａのみが操作されて送信コード１５に含まれるボタンコード１７が「１０」であるかが判断される。ボタンコード１７が、押釦Ａのみの操作による「１０」であることが判断されると、次のステップｓ３では、機能「１」が選択されて決定される。
【０２１８】
送信機１の押釦Ｂのみが操作されてボタンコード「０１」が受信されたことが判断されると、ステップｓ２，ｓ５を経て、ステップｓ６に移り、機能「２」が決定される。
【０２１９】
送信機１の押釦Ａ，Ｂの同時操作が行われてボタンコード１７として「１１」が操作されたことが、ステップｓ７で判断されると、ステップｓ８では、タイマＴ１２１による限時時間Ｔ１２１内で押釦Ａ，Ｂの同時操作による受信回数ｙを計数する。ステップｓ９において、受信回数ｙが２回以上であることが判断されると、ステップｓ１０では、機能「４」が決定される。受信回数ｙが１回であるとき、ステップｓ１１において機能「３」が決定される。そのほかの構成と動作は、前述の参考例、実施の形態に類似する。
【０２２０】
本発明の第３の実施の形態を、図３８および図３９を参照して説明する。第３の実施の形態は、前述の参考例、実施の形態に類似し、対応する部分には同一の参照符を付す。第３の実施の形態における送信機１の構成は、第５の参考例における図１、図２、図１４、図１５および図２３を参照して前述した構成に類似する。第３の実施の形態における送信機１は、前述の表１０に示されるボタンコード１７ａを含む送信コード１５ａを送信する。
【０２２１】
本発明の第３の実施の形態における受信装置４は、前述の第１の実施の形態の図６、図７、図１７、図９、図１０、図３５、図１２および図１３に関連して前述した構成および動作に類似する。特にこの第３の実施の形態では、押釦Ａ，Ｂの操作とともに、予め定める時間Ｔ１３１，１３２内の押釦Ａのみまたは押釦Ｂのみの断続的な操作による受信回数に対応して、表２２のように機能「１」〜「６」が決定される。
【０２２２】
【表２２】
0004603640.tif 000023
【０２２３】
第３の実施の形態では、４つの機能選択コード「００」〜「１１」にそれぞれ対応して、図３８のテーブルの構造を有する機能「１」〜「６」毎の動作情報が、第２メモリ領域３８にストアされる。
【０２２４】
図３９は、本発明の第３の実施の形態における受信装置４の第１の実施の形態における図３５のステップｒ２３における動作をもっと具体的に示す処理回路２３の動作を示すフローチャートである。ステップｕ１からステップｕ２に移り、送信機１の押釦Ａのみの操作によるボタンコード１７ａとして「１００」が受信されたかどうかが判断され、受信されたことが判断されると、次のステップｕ３においてタイマＴ１３１による限時時間Ｔ１３１内（Ｔ＜Ｔ１３１）でのボタンコード「１００」の断続的な受信回数ｚをカウンタ５６（前述の図６参照）によって計数する。計数された受信回数ｚがステップｕ４において２回以上（Ｚ≧２）であることが判断されると、ステップｕ５において機能「３」を選択して決定する。受信回数ｚが、ステップｕ４において１回であることが判断されると、ステップｕ７において機能「１」を決定する。
【０２２５】
送信機１の押釦Ｂのみが操作されることによってボタンコード１７ａとして「０１０」が受信されたことが、ステップｕ８において判断されると、ステップｕ９で、タイマＴ１３２による限時時間Ｔ１３２内（Ｔ＜Ｔ１３２）で、そのボタンコード「０１０」の断続的な受信回数Ｚを、カウンタ５７（前述の図６参照）によって計数する。ステップｕ９における受信回数ｚが、２回以上であることが、ステップｕ１０において判断されると、ステップｕ１１では、機能「４」を決定する。ステップｕ９における受信回数ｚが１回であるとき、ステップｕ１２では、機能「２」を決定する。たとえばＴ１３１＝Ｔ１３２＝２秒であってもよい。
【０２２６】
さらに送信機１から、前述の図２３と同様に押釦Ａ，Ｂの時間Ｔ５１未満だけ同時操作されることによって、ボタンコード１７ａとして「１１０」が受信されたことが、ステップｕ１３によって判断されたとき、ステップｕ１４では、機能「５」を決定する。送信機１の押釦Ａ，Ｂが予め定める時間Ｔ５１以上同時操作されることによってボタンコード「１１１」が受信されたことが、ステップｕ１５で判断されるとき、ステップｕ１６では機能「６」を決定する。そのほかの機能と動作は、前述の参考例、実施の形態と同様である。
【０２２７】
本発明の第１１の参考例を、図４０、図４１および図４２を参照して、説明する。第１１の参考例は、前述の参考例、実施の形態に類似し、対応する部分には同一の参照符を付す。第１１の参考例における送信機１の構成は、第７の参考例における図２５および図２６を参照して前述した構成に類似する。送信機１のハウジング２には、単一の押釦Ａが備えられる。
【０２２８】
図４０は、本発明の第１１の参考例における送信コード信号５９の構成を示す図である。この送信コード５９は、４８ビットから成るＩＤコードから成る。送信コード５９は、そのほかのコードを含んでもよい。この送信コード５９を構成するＩＤコードは、送信機１に固有の送信機識別コードである。
【０２２９】
送信機１の処理回路９は、押釦Ａが押圧操作されることによってその押釦Ａの操作時間わたり、送信コード５９を、前述の図２９と同様に、繰返して連続的に送信する。押釦Ａの連続的な操作時間を、前述の図２９と同様に参照符Ｔ９１で表す。
【０２３０】
図４１は、本発明の第１１の参考例における送信機１の処理回路９の動作を説明するためのフローチャートである。ステップｖ１からステップｖ２に移り、押釦Ａが押圧操作されたかどうかが判断される。押釦Ａが操作されると、その操作時間Ｔ９１にわたり、図４０に示される送信コード５９が、繰返して連続的に生成され、送信回路１１に与えられる。ステップｖ３では、押釦Ａの操作時間Ｔ９１にわたる送信コード５９によって搬送波を変調し、送信する。
【０２３１】
本発明の第１１の参考例における受信装置４の構成は、第１の参考例における図６〜図１０、図１２および図１３の構成に類似する。受信装置４の処理回路２３の動作は、第９の参考例における図３０に関連して前述した動作を達成する。特に第１１の参考例では、その図３０における処理回路２３のステップｐ３の具体的な動作は、図４２に示される。
【０２３２】
図４２は、本発明の第１１の参考例の受信装置４の処理回路２３の図３０におけるステップｐ３の具体的な動作を説明するためのフローチャートである。ステップｖ２１からステップｖ２２に移り、送信機１から、図４０に示される送信コード５９が受信されたかどうかが判断される。送信コード５９が受信されたことが判断されると、次のステップｖ２３においてタイマＴ１４１の刻時動作がスタートされる。ステップｖ２４では、受信装置４において、引続き送信コード５９が受信されているかどうかを判断し、受信が継続されていれば、ステップｖ２５において、受信中のタイマＴ１４１の刻時時間Ｔが、したがって送信コード５９の継続時間Ｔ９１が、限時時間Ｔ１４１未満であるかが判断される。受信時間Ｔが、限時時間Ｔ１４１以上（Ｔ≧Ｔ１４１）であることが判断されると、次のステップｖ２６において機能「２」を選択して決定する。送信コード５９が、前記限時時間Ｔ１４１未満だけ受信されたとき、ステップｖ２４からステップｖ２７に移り、機能「１」が選択されて決定される。こうして送信機１からの送信コード５９の受信時間Ｔを限時時間Ｔ１４１と比較することによって、表２３のように、受信時間Ｔに対応した機能「１」または「２」が決定されることになる。そのほかの構成と動作は、前述の参考例、実施の形態と同様である。たとえばＴ１４１＝２秒であってもよい。
【０２３３】
【表２３】
0004603640.tif 000024
【０２３４】
本発明の第１２の参考例を、図４３を参照して説明する。第１２の参考例は、前述の参考例、実施の形態に類似し、対応する部分には同一の参照符を付す。第１２の参考例における送信機１の構成は、第７の参考例における図２５および図２６ならびに第１１の参考例における図４０および図４１と同様である。第１２の参考例では、送信機１の処理回路９は、単一の押釦Ａを操作するたびに、前述の図４０に示されるＩＤコードから成る送信コード５９を、単一回送信してもよく、予め定める複数回送信してもよく、または押釦Ａの操作時間にわたって繰返して連続的に送信するように構成されてもよい。
【０２３５】
本発明の第１２の参考例における受信装置４の構成は、第１の実施の形態における図６〜図１０、図１２および図１３に類似する。第１２の参考例における受信装置４の処理回路２３の受信処理の動作は、前述の第１の実施の形態における図３５に類似する。この第１２の参考例では、図３５のステップｒ２３において、送信機１の押釦Ａの予め定める時間Ｔ１５１内の断続的な操作回数による受信装置４の受信回数ｗに対応して、表２４に示されるように機能「１」および「２」が選択されて決定される。
【０２３６】
【表２４】
0004603640.tif 000025
【０２３７】
図４３は、本発明の第１２の参考例における受信装置４の処理回路２３の図３５におけるステップｒ２３の具体的な動作を説明するためのフローチャートである。ステップｗ１からステップｗ２に移り、送信機１からの送信コード５９を受信したことを判断すると、次のステップｗ３に移り、タイマＴ１５１の刻時動作をスタートする。スタートｗ４において送信コード５９の時間間隔をあけた断続的な受信回数ｗをカウンタ６１（前述の図６参照）によって計数する。ステップｗ５においてタイマＴ１５１によって刻時される時間Ｔが、限時時間Ｔ１５１未満であるかが判断される。限時時間Ｔ１５１が経過すると、ステップｗ６に移り、その限時時間Ｔ１５１内における受信回数ｗの計数値が２以上であるかが判断される。計数値ｗが２以上であるとき、ステップｗ７では、機能「２」が選択された決定される。計数値ｗが、１回であるとき、ステップｗ６からステップｗ９に移り、機能「１」が選択される。たとえばＴ１５１＝２秒であってもよい。そのほかの構成と動作は前述の参考例、実施の形態と同様である。
【０２３８】
本発明の実施のさらに他の形態では、複数の各車両毎に、前述の第１〜第１２の参考例および第１〜第３の実施の形態の１つの受信機４を搭載する。複数の受信機４において、第１メモリ領域３７における複数の識別可能なＩＤコード１６のうちの１つは、１つの送信機１の予め定めるＩＤコード１６と同一にすなわち共通にその送信機をもつユーザにより設定される。また各受信機４では、前記１つの送信機１の予め定めるＩＤコード１６と同一のＩＤコードに対応する機能選択コードは、相互に異なるようそのユーザにより設定される。たとえば１つの受信機４の前記予め定めるＩＤコード１６に対応して、機能選択コードは、前述の図８（３）に設定し、もう１つの受信機４の前記予め定めるＩＤコード１６に対応して、機能選択コードは、図８（４）に設定する。
【０２３９】
このような参考例、実施の形態によれば、１つの送信機１を用いて、複数の各車両毎に相互に異なる動作を行わせることができる。たとえば前記１つの送信機１の押釦Ａを操作し、或る車両のドアの施錠／解錠動作を行わせ、前記１つの送信機１の押釦Ｂを操作することによって他の車両のドアの施錠／解錠動作を行わせることができる。このようにして、マルチ・カー・オペレーションと呼ぶことができるシステムが実現される。
【０２４０】
【発明の効果】
本発明によれば、ユーザが送信機の単一または複数の操作スイッチ毎に複数種類の制御動作を任意に割当てることができるようになる。特に本発明によれば、受信装置のプログラムモードで、送信機識別コードに対応して機能選択コードを設定し、動作モードで機能選択コードと受信した制御コードとに基づいて動作情報を得て、被制御手段を制御するので、送信機識別コードに対応して機能選択コードを変更し、制御コードに対応した動作情報を変更することができる。
【０２４１】
操作スイッチの操作態様は、操作スイッチの予め定める時間内の操作回数に対応して制御コードを送信手段から送信することができ、これによって操作スイッチの数を低減し、しかもできるだけ多くの複数種類の制御コードを生成することができる。
【０２４２】
本発明によれば、機能選択コード毎に、制御コードと動作情報とを対応してテーブルを構成するので、テーブルを変更することによって、したがって前述のように各機能選択コードを変更することによって、制御コードに対応した制御情報を容易に変更することができるようになる。
【０２４３】
【０２４４】
【０２４５】
本発明によれば、送信機の操作スイッチを予め定める時間内で断続的に１または複数回操作すると、その操作スイッチの操作のたび毎に送信コードが送信機から送信され、受信装置では、受信された送信機識別コードに対応する機能選択コードがメモリから読出され、操作された操作スイッチに対応した制御コードと計数された受信回数とに対応する動作情報に基づき、被制御手段が制御される。送信機識別コードに対応して機能選択コードを変更することによって、制御コードと計数された受信回数とに対応する動作情報を変更することができる。
【０２４６】
本発明によれば、機能選択コード毎に制御コードと受信回数と動作情報とが対応してテーブルを構成するので、この機能選択コードを送信機識別コードに対応して変更することによって、操作スイッチおよびその操作回数に対応して動作情報を変更することが容易である。
【０２４７】
本発明によれば、複数の送信機識別コードと機能選択コードとが対応して書換え可能にストアされる。したがって各機能選択コード毎にテーブルを構成する制御コードと動作情報との組合せを容易に変更可能である。各機能選択コード毎の各テーブルにはまた、前記送信コードの継続時間および／または予め定める時間内の受信回数がさらに制御コードと動作情報とに対応して含まれる。本発明の実施の形態では、送信機識別コードに対応する機能選択コードを書換え可能にメモリにストアするように構成されるけれども、本発明の実施の他の形態では、各機能選択コード毎にテーブルを構成する制御コードに対応した動作情報を変更可能に書換えることができるように構成されてもよく、または前記テーブルの制御コードを、書換えることができるように構成されてもよい。
【０２４８】
【０２４９】
【０２５０】
【０２５１】
【０２５２】
【０２５３】
【０２５４】
【０２５５】
【０２５６】
【０２５７】
【図面の簡単な説明】
【図１】  本発明の第１の参考例における小形の形態可能な送信機１を示す図である。
【図２】  図１に示される送信機１の電気的構成を示すブロックである。
【図３】  処理回路９から生成されて導出されるコード化デジタル信号である送信コード信号１５を示す図である。
【図４】  ボタンコード１７の構成を示す図である。
【図５】  送信機１の処理回路９の動作を説明するためのフローチャートである。
【図６】  受信装置４の構成を示すブロック図である。
【図７】  第１メモリ領域３７の構成を示す図である。
【図８】  第２メモリ領域３８の構成を示す図である。
【図９】  受信装置４の処理回路２３の全体の動作を示すフローチャートである。
【図１０】  図９のステップｂ７における機能選択コードの入力処理を説明するためのフローチャートである。
【図１１】  図９におけるステップｂ１４の受信処理の動作を説明するためのフローチャートである。
【図１２】  アーミングモードの動作であるセキリュティ処理を説明するためのフローチャートである。
【図１３】  アーミング一時解除処理の動作を説明するためのフローチャートである。
【図１４】  本発明の第２の参考例の送信機１から送信される送信コード信号１５ａを示す図である。
【図１５】  図１４に示されるボタンコード１７ａを示す図である。
【図１６】  本発明の第２の参考例の送信機１の処理回路９（前述の図２参照）の動作を説明するためのフローチャートである。
【図１７】  本発明の第２の参考例における第２メモリ領域３８の構成を示す図である。
【図１８】  本発明の第２の参考例の受信装置４の処理回路２３の受信処理の動作を説明するためのフローチャートである。
【図１９】  本発明の第３の参考例における送信機１の処理回路９の動作を説明するためのフローチャートである。
【図２０】  本発明の第４の参考例の送信機１を示す図である。
【図２１】  本発明の第４の参考例における送信機１の電気的構成を示すブロック図である。
【図２２】  本発明の第４の参考例における送信機１の処理回路９の動作を説明するためのフローチャートである。
【図２３】  本発明の第５の参考例の送信機１における処理回路９の動作を説明するためのフローチャートである。
【図２４】  本発明の第６の参考例における送信機１の処理回路９の動作を説明するためのフローチャートである。
【図２５】  本発明の第７の参考例における送信機１を示す図である。
【図２６】  図２５に示される第７の参考例における送信機１の電気的構成を示すブロック図である。
【図２７】  図２５および図２６に示される本発明の第７の参考例における送信機１の処理回路９の動作を説明するためのフローチャートである。
【図２８】  本発明の第８の参考例における送信機１の処理回路９の動作を説明するためのフローチャートである。
【図２９】  本発明の第９の参考例の送信機１から送信される送信コード信号１５を示す図である。
【図３０】  本発明の第９の参考例における受信装置４の処理回路２３の動作を説明するためのフローチャートである。
【図３１】  図３０におけるステップｐ３の動作を、もっと具体的に示すフローチャートである。
【図３２】  本発明の第１０の参考例の送信機１の処理回路９の動作を説明するためのフローチャートである。
【図３３】  本発明の第１０の参考例の受信装置４の処理回路２３の動作を説明するためのフローチャートである。
【図３４】  本発明の第１の参考例における送信機１の処理回路９の動作を説明するためのフローチャートである。
【図３５】  本発明の第１の参考例における受信装置４の処理回路２３の受信処理の動作を説明するためのフローチャートである。
【図３６】  本発明の第１の実施の形態における受信装置４の処理回路２３の図３５におけるステップｒ２３の具体的な動作を説明するためのフローチャートである。
【図３７】  本発明の第２の実施の形態における受信装置４の処理回路２３の図３５におけるステップｒ２３の具体的動作を説明するためのフローチャートである。
【図３８】  本発明の第３の実施の形態における機能選択コードと動作情報とを対応してテーブル構造でストアする第２メモリ領域３８の構成を示す図である。
【図３９】  本発明の第３の実施の形態における受信装置４の第１１の実施の形態における図３５のステップｒ２３における動作をもっと具体的に示す処理回路２３の動作を示すフローチャートである。
【図４０】  本発明の第１１の参考例における送信コード信号５９の構成を示す図である。
【図４１】  本発明の第１１の参考例における送信機１の処理回路９の動作を説明するためのフローチャートである。
【図４２】  本発明の第１１の参考例の受信装置４の処理回路２３の図３０におけるステップｐ３の具体的な動作を説明するためのフローチャートである。
【図４３】  本発明の第１２の参考例における受信装置４の処理回路２３の図３５におけるステップｒ２３の具体的な動作を説明するためのフローチャートである。
【符号の説明】
１ 送信機
４ 受信装置
５，６ ドア施錠機構
７ トランクの蓋施錠機構
８ ホーン
９，２３ 処理回路
１１ 送信回路
１４，３６ メモリ
１５ 送信コード
１６ ＩＤコード
１７ ボタンコード
１８，４０，４１ ストア領域
２２ 受信回路
２４ パーキングランプ
２５ インジケータランプ
２６，２７ カーテシスイッチ
２９ ロックスイッチ
３０ イグニションスイッチ
３２ ブレーキスイッチ
３３ ライトスイッチ
３４ トランクスイッチ
３５ モード設定スイッチ
３７ 第１メモリ領域
３８ 第２メモリ領域
３９ ＩＤコードストア領域
４７，４８ カウンタ
５６，５７ カウンタ
５９ 送信コード
Ａ，Ｂ， 押釦
【図１】
0004603640.tif 000026
【図２】
0004603640.tif 000027
【図３】
0004603640.tif 000028
【図４】
0004603640.tif 000029
【図５】
0004603640.tif 000030
【図６】
0004603640.tif 000031
【図７】
0004603640.tif 000032
【図８】
0004603640.tif 000033
【図９】
0004603640.tif 000034
【図１０】
0004603640.tif 000035
【図１１】
0004603640.tif 000036
【図１２】
0004603640.tif 000037
【図１３】
0004603640.tif 000038
【図１４】
0004603640.tif 000039
【図１５】
0004603640.tif 000040
【図１６】
0004603640.tif 000041
【図１７】
0004603640.tif 000042
【図１８】
0004603640.tif 000043
【図１９】
0004603640.tif 000044
【図２０】
0004603640.tif 000045
【図２１】
0004603640.tif 000046
【図２２】
0004603640.tif 000047
【図２３】
0004603640.tif 000048
【図２４】
0004603640.tif 000049
【図２５】
0004603640.tif 000050
【図２６】
0004603640.tif 000051
【図２７】
0004603640.tif 000052
【図２８】
0004603640.tif 000053
【図２９】
0004603640.tif 000054
【図３０】
0004603640.tif 000055
【図３１】
0004603640.tif 000056
【図３２】
0004603640.tif 000057
【図３３】
0004603640.tif 000058
【図３４】
0004603640.tif 000059
【図３５】
0004603640.tif 000060
【図３６】
0004603640.tif 000061
【図３７】
0004603640.tif 000062
【図３８】
0004603640.tif 000063
【図３９】
0004603640.tif 000064
【図４０】
0004603640.tif 000065
【図４１】
0004603640.tif 000066
【図４２】
0004603640.tif 000067
【図４３】
0004603640.tif 000068